(57)【要約】【課題】ポジティブリード型のズームレンズ系において諸収差を良好に補正して優れた光学性能を実現する。【解決手段】物体側から順に、正の第１レンズ群と、後続レンズ群とを有し、第１レンズ群は、物体側から順に、１枚以上の正単レンズと、物体側に凸面を向けた負メニスカスレンズと、１枚以上の正レンズとを有し、ワイド端からテレ端への変倍に際し、第１レンズ群と後続レンズ群の間隔が増大し、次の条件式（１）、（２）を満足するズームレンズ系。（１）ｆＧ１／ｆｎ＜−１．５０（２）６５＜νｐａｖｅ但し、ｆＧ１：第１レンズ群の焦点距離、ｆｎ：第１レンズ群中の負メニスカスレンズの焦点距離、νｐａｖｅ：第１レンズ群中の正レンズのｄ線に対するアッベ数の平均値。【選択図】図１
2017156741.tif 000002
【特許請求の範囲】
【請求項１】
物体側から順に、正の屈折力の第１レンズ群と、該第１レンズ群に後続する後続レンズ群とを有していること；
第１レンズ群は、物体側から順に、１枚以上の正単レンズと、物体側に凸面を向けた負メニスカスレンズと、１枚以上の正レンズとを有していること；
短焦点距離端から長焦点距離端への変倍に際し、第１レンズ群と後続レンズ群の間隔が増大すること；及び
次の条件式（１）、（２）を満足すること；
を特徴とするズームレンズ系。
（１）ｆＧ１／ｆｎ＜−１．５０
（２）６５＜νｐａｖｅ
但し、
ｆＧ１：第１レンズ群の焦点距離、
ｆｎ：第１レンズ群中の負メニスカスレンズの焦点距離、
νｐａｖｅ：第１レンズ群中の正レンズのｄ線に対するアッベ数の平均値。
【請求項２】
請求項１記載のズームレンズ系において、
後続レンズ群は、少なくとも１つの負の屈折力のレンズ群を含んでおり、後続レンズ群中の最も物体側に位置する負の屈折力の第ｎレンズ群は、最も物体側に負レンズを有しているズームレンズ系。
【請求項３】
請求項１または２記載のズームレンズ系において、
後続レンズ群は、少なくとも１つの負の屈折力のレンズ群を含んでおり、次の条件式（３）を満足するズームレンズ系。
（３）ｆＧ１／ｆＧｎ＜−０．７０
但し、
ｆＧ１：第１レンズ群の焦点距離、
ｆＧｎ：後続レンズ群中の最も物体側に位置する負の屈折力の第ｎレンズ群の焦点距離。
【請求項４】
請求項１ないし３のいずれか１項記載のズームレンズ系において、
次の条件式（４）を満足するズームレンズ系。
（４）１．６５０＜ｎｎ
但し、
ｎｎ：第１レンズ群中の負メニスカスレンズのｄ線に対する屈折率。
【請求項５】
請求項１ないし４のいずれか１項記載のズームレンズ系において、
次の条件式（５）を満足するズームレンズ系。
（５）１．４０＜ｆＧ１／Ｒ１ｐ＜３．３０
但し、
ｆＧ１：第１レンズ群の焦点距離、
Ｒ１ｐ：第１レンズ群の最も物体側の面の近軸曲率半径。
【請求項６】
請求項１ないし５のいずれか１項記載のズームレンズ系において、
次の条件式（６）を満足するズームレンズ系。
（６）１．３０＜（Ｒ１ｎ＋Ｒ２ｎ）／（Ｒ１ｎ−Ｒ２ｎ）
但し、
Ｒ１ｎ：第１レンズ群中の負メニスカスレンズの物体側の面の近軸曲率半径、
Ｒ２ｎ：第１レンズ群中の負メニスカスレンズの像側の面の近軸曲率半径。
【請求項７】
請求項１ないし６のいずれか１項記載のズームレンズ系において、
後続レンズ群は、少なくとも１つの負の屈折力のレンズ群を含んでおり、後続レンズ群中の最も物体側に位置する負の屈折力の第ｎレンズ群は、最も物体側に負レンズを有しており、次の条件式（７）を満足するズームレンズ系。
（７）ｆＧｎ／Ｒ２Ｇｎ＜−１．１０
但し、
ｆＧｎ：後続レンズ群中の最も物体側に位置する負の屈折力の第ｎレンズ群の焦点距離、Ｒ２Ｇｎ：第ｎレンズ群中の最も物体側の負レンズの像側の面の近軸曲率半径。
【請求項８】
請求項１ないし７のいずれか１項記載のズームレンズ系において、
後続レンズ群は、少なくとも１つの負の屈折力のレンズ群を含んでおり、後続レンズ群中の最も物体側に位置する負の屈折力の第ｎレンズ群は、最も物体側から順に、負レンズと、正レンズとを有しているズームレンズ系。
【請求項９】
請求項１ないし８のいずれか１項記載のズームレンズ系において、
後続レンズ群は、少なくとも１つの負の屈折力のレンズ群を含んでおり、後続レンズ群中の最も物体側に位置する負の屈折力の第ｎレンズ群は、最も像側に負レンズを有しているズームレンズ系。
【請求項１０】
請求項９記載のズームレンズ系において、
第ｎレンズ群中の最も像側の負レンズは、物体側に凹面を向けており、次の条件式（８）を満足するズームレンズ系。
（８）２９＜νＧｎ
但し、
νＧｎ：第ｎレンズ群中の最も像側の負レンズのｄ線に対するアッベ数。
【請求項１１】
請求項１ないし１０のいずれか１項記載のズームレンズ系において、
後続レンズ群は、少なくとも１つの負の屈折力のレンズ群を含んでおり、後続レンズ群中の最も物体側に位置する負の屈折力の第ｎレンズ群は、第１レンズ群の像側の直後に位置する負の屈折力の第２レンズ群であるズームレンズ系。
【請求項１２】
請求項１ないし１１のいずれか１項記載のズームレンズ系において、
次の条件式（９）を満足するズームレンズ系。
（９）θｇＦｎ−（０．６４４０−０．００１６８２×νｎ）＜０
但し、
νｎ：第１レンズ群中の負メニスカスレンズのｄ線に対するアッベ数、
θｇＦｎ：第１レンズ群中の負メニスカスレンズの短波長側における部分分散比、
θｇＦ＝（ｎｇ−ｎＦ）／（ｎＦ−ｎＣ）
ｎｇ：ｇ線に対する屈折率、
ｎＦ：Ｆ線に対する屈折率、
ｎＣ：Ｃ線に対する屈折率。
【請求項１３】
請求項１ないし１２のいずれか１項記載のズームレンズ系において、
次の条件式（１０）を満足するズームレンズ系。
（１０）３４＜νｎ
但し、
νｎ：第１レンズ群中の負メニスカスレンズのｄ線に対するアッベ数。
【請求項１４】
請求項１ないし１３のいずれか１項記載のズームレンズ系において、
次の条件式（１１）を満足するズームレンズ系。
（１１）２．４０＜ｆＧ１／Ｒ２ｎ
但し、
ｆＧ１：第１レンズ群の焦点距離、
Ｒ２ｎ：第１レンズ群中の負メニスカスレンズの像側の面の近軸曲率半径。
【請求項１５】
請求項１ないし１４のいずれか１項記載のズームレンズ系において、
次の条件式（１２）を満足するズームレンズ系。
（１２）４．００＜ｆＧ１／１Ｇｄ＜１３．００
但し、
ｆＧ１：第１レンズ群の焦点距離、
１Ｇｄ：第１レンズ群の最も物体側の面から最も像側の面までの光軸上の距離。
【請求項１６】
請求項１ないし１５のいずれか１項記載のズームレンズ系において、
次の条件式（１３）を満足するズームレンズ系。
（１３）０．８０＜ｆＧ１／ｆｗ
但し、
ｆＧ１：第１レンズ群の焦点距離、
ｆｗ：短焦点距離端における全系の焦点距離。
【請求項１７】
請求項１ないし１６のいずれか１項記載のズームレンズ系において、
次の条件式（１４）を満足するズームレンズ系。
（１４）０．６０＜ｆＧ１／（ｆｗ×ｆｔ）1/2
但し、
ｆＧ１：第１レンズ群の焦点距離、
ｆｗ：短焦点距離端における全系の焦点距離、
ｆｔ：長焦点距離端における全系の焦点距離。
【請求項１８】
請求項１ないし１７のいずれか１項記載のズームレンズ系において、
第１レンズ群中の負メニスカスレンズの物体側の直前には、物体側に凸面を向けた正メニスカスレンズが位置しているズームレンズ系。
【請求項１９】
請求項１ないし１８のいずれか１項記載のズームレンズ系において、
第１レンズ群中の負メニスカスレンズの像側には、１枚または２枚の正レンズが位置しているズームレンズ系。
【請求項２０】
請求項１ないし１９のいずれか１項記載のズームレンズ系において、
短焦点距離端から長焦点距離端への変倍に際し、第１レンズ群が物体側に移動するズームレンズ系。
【発明の詳細な説明】
【技術分野】
【０００１】
本発明は、例えば、監視カメラ、デジタルカメラ、交換レンズに適用されるズームレンズ系に関する。
【背景技術】
【０００２】
近年は小型で、さらなる高変倍化、特に望遠撮影のためにさらに望遠側の焦点距離を伸ばしたズームレンズ系が要望されている。一般に、望遠域の焦点距離を含むズームレンズ系は、望遠側の焦点距離ほど収差が拡大され、特に軸上色収差や倍率色収差が問題となる。また、望遠側ほどレンズに入射する瞳径が大きくなり、瞳径に大きく依存する球面収差やコマ収差が増大し、ズーム比を大きくするほど、ズーム時の像面湾曲や非点収差の変動が大きくなる。近年のカメラはより高画素化に向かい、これらの収差補正をバランスよく除去することが求められている。
【０００３】
望遠域を含むズームレンズ系として、一般にポジティブリード型がよく用いられている。例えば、特許文献１には、物体側から順に、正、負、正、負、正の５つのレンズ群から構成された５群ズームレンズ系、及び、物体側から順に、正、負、正、正、負、正の６つのレンズ群から構成された６群ズームレンズ系が開示されている。また特許文献２には、物体側から順に、正、負、正の３つのレンズ群から構成された３群ズームレンズ系、及び、物体側から順に、正、負、正、負、正の５つのレンズ群から構成された５群ズームレンズ系が開示されている。さらに特許文献３には、物体側から順に、正、負、正の３つのレンズ群から構成された３群ズームレンズ系、及び、物体側から順に、正、負、正、正の４つのレンズ群から構成された４群ズームレンズ系が開示されている。
【先行技術文献】
【特許文献】
【０００４】
【特許文献１】特開２０１１−２０９３４７号公報
【特許文献２】特開２０１１−０９９９２４号公報
【特許文献３】特開２００８−１２２７７５号公報
【発明の概要】
【発明が解決しようとする課題】
【０００５】
しかしながら、特許文献１のズームレンズ系は、球面収差や非点収差の補正が不十分であり、特許文献２、３のズームレンズ系は、望遠側の軸上色収差、特に２次スペクトルが多く残存するため、特許文献１−３のいずれのズームレンズ系も光学性能が劣化しがちである。
【０００６】
本発明は、以上の問題意識に基づいてなされたものであり、ポジティブリード型のズームレンズ系において諸収差を良好に補正して優れた光学性能を実現することを目的とする。
【課題を解決するための手段】
【０００７】
本発明のズームレンズ系は、物体側から順に、正の屈折力の第１レンズ群と、該第１レンズ群に後続する後続レンズ群とを有していること；第１レンズ群は、物体側から順に、１枚以上の正単レンズと、物体側に凸面を向けた負メニスカスレンズと、１枚以上の正レンズとを有していること；短焦点距離端から長焦点距離端への変倍に際し、第１レンズ群と後続レンズ群の間隔が増大すること；及び次の条件式（１）、（２）を満足すること；を特徴としている。
（１）ｆＧ１／ｆｎ＜−１．５０
（２）６５＜νｐａｖｅ
但し、
ｆＧ１：第１レンズ群の焦点距離、
ｆｎ：第１レンズ群中の負メニスカスレンズの焦点距離、
νｐａｖｅ：第１レンズ群中の正レンズのｄ線に対するアッベ数の平均値、
である。
【０００８】
本発明のズームレンズ系は、条件式（１）が規定する条件式範囲の中でも、次の条件式（１’）を満足することが好ましい。
（１’）−３．３０＜ｆＧ１／ｆｎ＜−１．５０
【０００９】
本発明のズームレンズ系は、条件式（２）が規定する条件式範囲の中でも、次の条件式（２’）を満足することが好ましい。
（２’）６７＜νｐａｖｅ
【００１０】
後続レンズ群は、少なくとも１つの負の屈折力のレンズ群を含んでおり、後続レンズ群中の最も物体側に位置する負の屈折力の第ｎレンズ群は、最も物体側に負レンズを有していることができる。
【００１１】
後続レンズ群は、少なくとも１つの負の屈折力のレンズ群を含んでおり、次の条件式（３）を満足することが好ましい。
（３）ｆＧ１／ｆＧｎ＜−０．７０
但し、
ｆＧ１：第１レンズ群の焦点距離、
ｆＧｎ：後続レンズ群中の最も物体側に位置する負の屈折力の第ｎレンズ群の焦点距離、
である。
【００１２】
本発明のズームレンズ系は、条件式（３）が規定する条件式範囲の中でも、次の条件式（３’）を満足することが好ましい。
（３’）−５．５０＜ｆＧ１／ｆＧｎ＜−０．７０
【００１３】
本発明のズームレンズ系は、次の条件式（４）を満足することが好ましい。
（４）１．６５０＜ｎｎ
但し、
ｎｎ：第１レンズ群中の負メニスカスレンズのｄ線に対する屈折率、
である。
【００１４】
本発明のズームレンズ系は、条件式（４）が規定する条件式範囲の中でも、次の条件式（４’）を満足することが好ましい。
（４’）１．６５０＜ｎｎ＜１．８３５
【００１５】
本発明のズームレンズ系は、次の条件式（５）を満足することが好ましい。
（５）１．４０＜ｆＧ１／Ｒ１ｐ＜３．３０
但し、
ｆＧ１：第１レンズ群の焦点距離、
Ｒ１ｐ：第１レンズ群の最も物体側の面の近軸曲率半径、
である。
【００１６】
本発明のズームレンズ系は、次の条件式（６）を満足することが好ましい。
（６）１．３０＜（Ｒ１ｎ＋Ｒ２ｎ）／（Ｒ１ｎ−Ｒ２ｎ）
但し、
Ｒ１ｎ：第１レンズ群中の負メニスカスレンズの物体側の面の近軸曲率半径、
Ｒ２ｎ：第１レンズ群中の負メニスカスレンズの像側の面の近軸曲率半径、
である。
【００１７】
本発明のズームレンズ系は、条件式（６）が規定する条件式範囲の中でも、次の条件式（６’）を満足することが好ましい。
（６’）１．３０＜（Ｒ１ｎ＋Ｒ２ｎ）／（Ｒ１ｎ−Ｒ２ｎ）＜３．３０
【００１８】
後続レンズ群は、少なくとも１つの負の屈折力のレンズ群を含んでおり、後続レンズ群中の最も物体側に位置する負の屈折力の第ｎレンズ群は、最も物体側に負レンズを有しており、次の条件式（７）を満足することができる。
（７）ｆＧｎ／Ｒ２Ｇｎ＜−１．１０
但し、
ｆＧｎ：後続レンズ群中の最も物体側に位置する負の屈折力の第ｎレンズ群の焦点距離、Ｒ２Ｇｎ：第ｎレンズ群中の最も物体側の負レンズの像側の面の近軸曲率半径、
である。
【００１９】
本発明のズームレンズ系は、条件式（７）が規定する条件式範囲の中でも、次の条件式（７’）を満足することが好ましい。
（７’）−３．６０＜ｆＧｎ／Ｒ２Ｇｎ＜−１．１０
【００２０】
後続レンズ群は、少なくとも１つの負の屈折力のレンズ群を含んでおり、後続レンズ群中の最も物体側に位置する負の屈折力の第ｎレンズ群は、最も物体側から順に、負レンズと、正レンズとを有していることができる。
【００２１】
後続レンズ群は、少なくとも１つの負の屈折力のレンズ群を含んでおり、後続レンズ群中の最も物体側に位置する負の屈折力の第ｎレンズ群は、最も像側に負レンズを有していることができる。
【００２２】
第ｎレンズ群中の最も像側の負レンズは、物体側に凹面を向けており、次の条件式（８）を満足することができる。
（８）２９＜νＧｎ
但し、
νＧｎ：第ｎレンズ群中の最も像側の負レンズのｄ線に対するアッベ数、
である。
【００２３】
本発明のズームレンズ系は、条件式（８）が規定する条件式範囲の中でも、次の条件式（８’）を満足することが好ましい。
（８’）３７＜νＧｎ
【００２４】
後続レンズ群は、少なくとも１つの負の屈折力のレンズ群を含んでおり、後続レンズ群中の最も物体側に位置する負の屈折力の第ｎレンズ群は、第１レンズ群の像側の直後に位置する負の屈折力の第２レンズ群であることができる。
【００２５】
本発明のズームレンズ系は、次の条件式（９）を満足することが好ましい。
（９）θｇＦｎ−（０．６４４０−０．００１６８２×νｎ）＜０
但し、
νｎ：第１レンズ群中の負メニスカスレンズのｄ線に対するアッベ数、
θｇＦｎ：第１レンズ群中の負メニスカスレンズの短波長側における部分分散比、
θｇＦ＝（ｎｇ−ｎＦ）／（ｎＦ−ｎＣ）
ｎｇ：ｇ線に対する屈折率、
ｎＦ：Ｆ線に対する屈折率、
ｎＣ：Ｃ線に対する屈折率、
である。
【００２６】
本発明のズームレンズ系は、次の条件式（１０）を満足することが好ましい。
（１０）３４＜νｎ
但し、
νｎ：第１レンズ群中の負メニスカスレンズのｄ線に対するアッベ数、
である。
【００２７】
本発明のズームレンズ系は、条件式（１０）が規定する条件式範囲の中でも、次の条件式（１０’）を満足することが好ましい。
（１０’）３４＜νｎ＜５０
【００２８】
本発明のズームレンズ系は、次の条件式（１１）を満足することが好ましい。
（１１）２．４０＜ｆＧ１／Ｒ２ｎ
但し、
ｆＧ１：第１レンズ群の焦点距離、
Ｒ２ｎ：第１レンズ群中の負メニスカスレンズの像側の面の近軸曲率半径、
である。
【００２９】
本発明のズームレンズ系は、条件式（１１）が規定する条件式範囲の中でも、次の条件式（１１’）を満足することが好ましい。
（１１’）３．５０＜ｆＧ１／Ｒ２ｎ＜５．１０
【００３０】
本発明のズームレンズ系は、次の条件式（１２）を満足することが好ましい。
（１２）４．００＜ｆＧ１／１Ｇｄ＜１３．００
但し、
ｆＧ１：第１レンズ群の焦点距離、
１Ｇｄ：第１レンズ群の最も物体側の面から最も像側の面までの光軸上の距離、
である。
【００３１】
本発明のズームレンズ系は、次の条件式（１３）を満足することが好ましい。
（１３）０．８０＜ｆＧ１／ｆｗ
但し、
ｆＧ１：第１レンズ群の焦点距離、
ｆｗ：短焦点距離端における全系の焦点距離、
である。
【００３２】
本発明のズームレンズ系は、条件式（１３）が規定する条件式範囲の中でも、次の条件式（１３’）、さらには条件式（１３”）を満足することが好ましい。
（１３’）１．４０＜ｆＧ１／ｆｗ＜９．８０
（１３”）２．５０＜ｆＧ１／ｆｗ＜６．６０
【００３３】
本発明のズームレンズ系は、次の条件式（１４）を満足することが好ましい。
（１４）０．６０＜ｆＧ１／（ｆｗ×ｆｔ）1/2
但し、
ｆＧ１：第１レンズ群の焦点距離、
ｆｗ：短焦点距離端における全系の焦点距離、
ｆｔ：長焦点距離端における全系の焦点距離、
である。
【００３４】
本発明のズームレンズ系は、条件式（１４）が規定する条件式範囲の中でも、次の条件式（１４’）、さらには条件式（１４”）を満足することが好ましい。
（１４’）１．１０＜ｆＧ１／（ｆｗ×ｆｔ）1/2＜２．５０
（１４”）１．１０＜ｆＧ１／（ｆｗ×ｆｔ）1/2＜２．００
【００３５】
第１レンズ群中の負メニスカスレンズの物体側の直前には、物体側に凸面を向けた正メニスカスレンズが位置していることができる。
【００３６】
第１レンズ群中の負メニスカスレンズの像側には、１枚または２枚の正レンズが位置していることができる。
【００３７】
短焦点距離端から長焦点距離端への変倍に際し、第１レンズ群が物体側に移動することができる。
【発明の効果】
【００３８】
本発明によれば、ポジティブリード型のズームレンズ系において諸収差を良好に補正して優れた光学性能を実現することができる。
【図面の簡単な説明】
【００３９】
【図１】本発明によるズームレンズ系の数値実施例１の短焦点距離端における無限遠合焦時のレンズ構成図である。
【図２】図２（Ａ）〜（Ｄ）は図１のように構成されたズームレンズ系の短焦点距離端における無限遠合焦時の諸収差図である。
【図３】図３（Ａ）〜（Ｄ）は図１のように構成されたズームレンズ系の短焦点距離端における無限遠合焦時の横収差図である。
【図４】図４（Ａ）〜（Ｄ）は図１のように構成されたズームレンズ系の長焦点距離端における無限遠合焦時の諸収差図である。
【図５】図５（Ａ）〜（Ｄ）は図１のように構成されたズームレンズ系の長焦点距離端における無限遠合焦時の横収差図である。
【図６】本発明によるズームレンズ系の数値実施例２の短焦点距離端における無限遠合焦時のレンズ構成図である。
【図７】図７（Ａ）〜（Ｄ）は図６のように構成されたズームレンズ系の短焦点距離端における無限遠合焦時の諸収差図である。
【図８】図８（Ａ）〜（Ｄ）は図６のように構成されたズームレンズ系の短焦点距離端における無限遠合焦時の横収差図である。
【図９】図９（Ａ）〜（Ｄ）は図６のように構成されたズームレンズ系の長焦点距離端における無限遠合焦時の諸収差図である。
【図１０】図１０（Ａ）〜（Ｄ）は図６のように構成されたズームレンズ系の長焦点距離端における無限遠合焦時の横収差図である。
【図１１】本発明によるズームレンズ系の数値実施例３の短焦点距離端における無限遠合焦時のレンズ構成図である。
【図１２】図１２（Ａ）〜（Ｄ）は図１１のように構成されたズームレンズ系の短焦点距離端における無限遠合焦時の諸収差図である。
【図１３】図１３（Ａ）〜（Ｄ）は図１１のように構成されたズームレンズ系の短焦点距離端における無限遠合焦時の横収差図である。
【図１４】図１４（Ａ）〜（Ｄ）は図１１のように構成されたズームレンズ系の長焦点距離端における無限遠合焦時の諸収差図である。
【図１５】図１５（Ａ）〜（Ｄ）は図１１のように構成されたズームレンズ系の長焦点距離端における無限遠合焦時の横収差図である。
【図１６】本発明によるズームレンズ系の数値実施例４の短焦点距離端における無限遠合焦時のレンズ構成図である。
【図１７】図１７（Ａ）〜（Ｄ）は図１６のように構成されたズームレンズ系の短焦点距離端における無限遠合焦時の諸収差図である。
【図１８】図１８（Ａ）〜（Ｄ）は図１６のように構成されたズームレンズ系の短焦点距離端における無限遠合焦時の横収差図である。
【図１９】図１９（Ａ）〜（Ｄ）は図１６のように構成されたズームレンズ系の長焦点距離端における無限遠合焦時の諸収差図である。
【図２０】図２０（Ａ）〜（Ｄ）は図１６のように構成されたズームレンズ系の長焦点距離端における無限遠合焦時の横収差図である。
【図２１】本発明によるズームレンズ系の数値実施例５の短焦点距離端における無限遠合焦時のレンズ構成図である。
【図２２】図２２（Ａ）〜（Ｄ）は図２１のように構成されたズームレンズ系の短焦点距離端における無限遠合焦時の諸収差図である。
【図２３】図２３（Ａ）〜（Ｄ）は図２１のように構成されたズームレンズ系の短焦点距離端における無限遠合焦時の横収差図である。
【図２４】図２４（Ａ）〜（Ｄ）は図２１のように構成されたズームレンズ系の長焦点距離端における無限遠合焦時の諸収差図である。
【図２５】図２５（Ａ）〜（Ｄ）は図２１のように構成されたズームレンズ系の長焦点距離端における無限遠合焦時の横収差図である。
【図２６】本発明によるズームレンズ系の数値実施例６の短焦点距離端における無限遠合焦時のレンズ構成図である。
【図２７】図２７（Ａ）〜（Ｄ）は図２６のように構成されたズームレンズ系の短焦点距離端における無限遠合焦時の諸収差図である。
【図２８】図２８（Ａ）〜（Ｄ）は図２６のように構成されたズームレンズ系の短焦点距離端における無限遠合焦時の横収差図である。
【図２９】図２９（Ａ）〜（Ｄ）は図２６のように構成されたズームレンズ系の長焦点距離端における無限遠合焦時の諸収差図である。
【図３０】図３０（Ａ）〜（Ｄ）は図２６のように構成されたズームレンズ系の長焦点距離端における無限遠合焦時の横収差図である。
【図３１】本発明によるズームレンズ系の数値実施例７の短焦点距離端における無限遠合焦時のレンズ構成図である。
【図３２】図３２（Ａ）〜（Ｄ）は図３１のように構成されたズームレンズ系の短焦点距離端における無限遠合焦時の諸収差図である。
【図３３】図３３（Ａ）〜（Ｄ）は図３１のように構成されたズームレンズ系の短焦点距離端における無限遠合焦時の横収差図である。
【図３４】図３４（Ａ）〜（Ｄ）は図３１のように構成されたズームレンズ系の長焦点距離端における無限遠合焦時の諸収差図である。
【図３５】図３５（Ａ）〜（Ｄ）は図３１のように構成されたズームレンズ系の長焦点距離端における無限遠合焦時の横収差図である。
【図３６】本発明によるズームレンズ系の数値実施例８の短焦点距離端における無限遠合焦時のレンズ構成図である。
【図３７】図３７（Ａ）〜（Ｄ）は図３６のように構成されたズームレンズ系の短焦点距離端における無限遠合焦時の諸収差図である。
【図３８】図３８（Ａ）〜（Ｄ）は図３６のように構成されたズームレンズ系の短焦点距離端における無限遠合焦時の横収差図である。
【図３９】図３９（Ａ）〜（Ｄ）は図３６のように構成されたズームレンズ系の長焦点距離端における無限遠合焦時の諸収差図である。
【図４０】図４０（Ａ）〜（Ｄ）は図３６のように構成されたズームレンズ系の長焦点距離端における無限遠合焦時の横収差図である。
【図４１】本発明によるズームレンズ系の数値実施例９の短焦点距離端における無限遠合焦時のレンズ構成図である。
【図４２】図４２（Ａ）〜（Ｄ）は図４１のように構成されたズームレンズ系の短焦点距離端における無限遠合焦時の諸収差図である。
【図４３】図４３（Ａ）〜（Ｄ）は図４１のように構成されたズームレンズ系の短焦点距離端における無限遠合焦時の横収差図である。
【図４４】図４４（Ａ）〜（Ｄ）は図４１のように構成されたズームレンズ系の長焦点距離端における無限遠合焦時の諸収差図である。
【図４５】図４５（Ａ）〜（Ｄ）は図４１のように構成されたズームレンズ系の長焦点距離端における無限遠合焦時の横収差図である。
【図４６】本発明によるズームレンズ系の数値実施例１０の短焦点距離端における無限遠合焦時のレンズ構成図である。
【図４７】図４７（Ａ）〜（Ｄ）は図４６のように構成されたズームレンズ系の短焦点距離端における無限遠合焦時の諸収差図である。
【図４８】図４８（Ａ）〜（Ｄ）は図４６のように構成されたズームレンズ系の短焦点距離端における無限遠合焦時の横収差図である。
【図４９】図４９（Ａ）〜（Ｄ）は図４６のように構成されたズームレンズ系の長焦点距離端における無限遠合焦時の諸収差図である。
【図５０】図５０（Ａ）〜（Ｄ）は図４６のように構成されたズームレンズ系の長焦点距離端における無限遠合焦時の横収差図である。
【図５１】本発明によるズームレンズ系の数値実施例１１の短焦点距離端における無限遠合焦時のレンズ構成図である。
【図５２】図５２（Ａ）〜（Ｄ）は図５１のように構成されたズームレンズ系の短焦点距離端における無限遠合焦時の諸収差図である。
【図５３】図５３（Ａ）〜（Ｄ）は図５１のように構成されたズームレンズ系の短焦点距離端における無限遠合焦時の横収差図である。
【図５４】図５４（Ａ）〜（Ｄ）は図５１のように構成されたズームレンズ系の長焦点距離端における無限遠合焦時の諸収差図である。
【図５５】図５５（Ａ）〜（Ｄ）は図５１のように構成されたズームレンズ系の長焦点距離端における無限遠合焦時の横収差図である。
【図５６】本発明によるズームレンズ系の数値実施例１２の短焦点距離端における無限遠合焦時のレンズ構成図である。
【図５７】図５７（Ａ）〜（Ｄ）は図５６のように構成されたズームレンズ系の短焦点距離端における無限遠合焦時の諸収差図である。
【図５８】図５８（Ａ）〜（Ｄ）は図５６のように構成されたズームレンズ系の短焦点距離端における無限遠合焦時の横収差図である。
【図５９】図５９（Ａ）〜（Ｄ）は図５６のように構成されたズームレンズ系の長焦点距離端における無限遠合焦時の諸収差図である。
【図６０】図６０（Ａ）〜（Ｄ）は図５６のように構成されたズームレンズ系の長焦点距離端における無限遠合焦時の横収差図である。
【図６１】本発明によるズームレンズ系の数値実施例１３の短焦点距離端における無限遠合焦時のレンズ構成図である。
【図６２】図６２（Ａ）〜（Ｄ）は図６１のように構成されたズームレンズ系の短焦点距離端における無限遠合焦時の諸収差図である。
【図６３】図６３（Ａ）〜（Ｄ）は図６１のように構成されたズームレンズ系の短焦点距離端における無限遠合焦時の横収差図である。
【図６４】図６４（Ａ）〜（Ｄ）は図６１のように構成されたズームレンズ系の長焦点距離端における無限遠合焦時の諸収差図である。
【図６５】図６５（Ａ）〜（Ｄ）は図６１のように構成されたズームレンズ系の長焦点距離端における無限遠合焦時の横収差図である。
【図６６】本発明によるズームレンズ系の数値実施例１４の短焦点距離端における無限遠合焦時のレンズ構成図である。
【図６７】図６７（Ａ）〜（Ｄ）は図６６のように構成されたズームレンズ系の短焦点距離端における無限遠合焦時の諸収差図である。
【図６８】図６８（Ａ）〜（Ｄ）は図６６のように構成されたズームレンズ系の短焦点距離端における無限遠合焦時の横収差図である。
【図６９】図６９（Ａ）〜（Ｄ）は図６６のように構成されたズームレンズ系の長焦点距離端における無限遠合焦時の諸収差図である。
【図７０】図７０（Ａ）〜（Ｄ）は図６６のように構成されたズームレンズ系の長焦点距離端における無限遠合焦時の横収差図である。
【図７１】本発明によるズームレンズ系の数値実施例１のズーム軌跡を示す簡易移動図である。
【図７２】本発明によるズームレンズ系の数値実施例２のズーム軌跡を示す簡易移動図である。
【図７３】本発明によるズームレンズ系の数値実施例３のズーム軌跡を示す簡易移動図である。
【図７４】本発明によるズームレンズ系の数値実施例４のズーム軌跡を示す簡易移動図である。
【図７５】本発明によるズームレンズ系の数値実施例５のズーム軌跡を示す簡易移動図である。
【図７６】本発明によるズームレンズ系の数値実施例６のズーム軌跡を示す簡易移動図である。
【図７７】本発明によるズームレンズ系の数値実施例７のズーム軌跡を示す簡易移動図である。
【図７８】本発明によるズームレンズ系の数値実施例８のズーム軌跡を示す簡易移動図である。
【図７９】本発明によるズームレンズ系の数値実施例９のズーム軌跡を示す簡易移動図である。
【図８０】本発明によるズームレンズ系の数値実施例１０のズーム軌跡を示す簡易移動図である。
【図８１】本発明によるズームレンズ系の数値実施例１１のズーム軌跡を示す簡易移動図である。
【図８２】本発明によるズームレンズ系の数値実施例１２のズーム軌跡を示す簡易移動図である。
【図８３】本発明によるズームレンズ系の数値実施例１３、１４のズーム軌跡を示す簡易移動図である。
【発明を実施するための形態】
【００４０】
≪正負正負の４群ズームレンズ系≫
本実施形態のズームレンズ系は、数値実施例１−５では、図７１−図７５の簡易移動図に示すように、物体側から順に、正の屈折力の第１レンズ群Ｇ１Ａと、負の屈折力の第２レンズ群（後続レンズ群、第ｎレンズ群）Ｇ２Ａと、正の屈折力の第３レンズ群（後続レンズ群）Ｇ３Ａと、負の屈折力の第４レンズ群（後続レンズ群）Ｇ４Ａとから構成されている。第３レンズ群Ｇ３Ａには第３レンズ群Ｇ３Ａと一体に移動する絞りＳが含まれている。Ｉは像面である。
【００４１】
短焦点距離端（Ｗｉｄｅ）から長焦点距離端（Ｔｅｌｅ）への変倍に際し、各レンズ群は次のように挙動する。
第１レンズ群Ｇ１Ａは、数値実施例１−５を通じて、単調に物体側に移動する（図７１−図７５）。
第２レンズ群Ｇ２Ａは、数値実施例１、３、４では、一旦像側に移動した後に物体側に戻り（図７１、図７３、図７４）、数値実施例２、５では、単調に像側に移動する（図７２、図７５）。
第３レンズ群Ｇ３Ａは、数値実施例１、３、４では、一旦像側に移動した後に短焦点距離端の位置を超えて物体側に移動し（図７１、図７３、図７４）、数値実施例２、５では、単調に物体側に移動する（図７２、図７５）。
第４レンズ群Ｇ４Ａは、数値実施例１−５を通じて、一旦像側に移動した後に短焦点距離端の位置を超えて物体側に移動する（図７１−図７５）。
その結果、第１レンズ群Ｇ１Ａと第２レンズ群Ｇ２Ａの間隔が増大し、第２レンズ群Ｇ２Ａと第３レンズ群Ｇ３Ａの間隔が減少し、第３レンズ群Ｇ３Ａと第４レンズ群Ｇ４Ａの間隔が増大または減少する。
なお、変倍に際しての各レンズ群の挙動には自由度があり、種々の設計変更が可能である。
【００４２】
無限遠物体から近距離物体へのフォーカシングは第４レンズ群Ｇ４Ａを像側に移動させることによって行う（第４レンズ群Ｇ４Ａがフォーカスレンズ群を構成する）。
【００４３】
第１レンズ群Ｇ１Ａは、数値実施例１−４では、物体側から順に、物体側に凸の正メニスカスレンズ１１Ａと、物体側に凸の負メニスカスレンズ１２Ａと、物体側に凸の正メニスカスレンズ１３Ａとからなる。負メニスカスレンズ１２Ａと正メニスカスレンズ１３Ａは、数値実施例１、２、４では接合されており、数値実施例３では接合されていない。
第１レンズ群Ｇ１Ａは、数値実施例５では、物体側から順に、両凸正レンズ１１Ａ’と、物体側に凸の正メニスカスレンズ１２Ａ’と、物体側に凸の負メニスカスレンズ１３Ａ’と、物体側に凸の正メニスカスレンズ１４Ａ’とからなる。負メニスカスレンズ１３Ａ’と正メニスカスレンズ１４Ａ’は接合されている。
【００４４】
第２レンズ群（第ｎレンズ群）Ｇ２Ａは、数値実施例１−３では、物体側から順に、両凹負レンズ２１Ａと、物体側に凸の正メニスカスレンズ２２Ａと、両凹負レンズまたは像側に凸の負メニスカスレンズ２３Ａとからなる。両凹負レンズ２１Ａと正メニスカスレンズ２２Ａは接合されている。
第２レンズ群（第ｎレンズ群）Ｇ２Ａは、数値実施例４では、物体側から順に、両凹負レンズ２１Ａ’と、両凸正レンズ２２Ａ’と、像側に凸の負メニスカスレンズ２３Ａ’と、両凸正レンズ２４Ａ’と、両凸正レンズ２５Ａ’と、両凹負レンズ２６Ａ’とからなる。両凹負レンズ２１Ａ’と両凸正レンズ２２Ａ’は接合されており、両凸正レンズ２５Ａ’と両凹負レンズ２６Ａ’は接合されている。
第２レンズ群（第ｎレンズ群）Ｇ２Ａは、数値実施例５では、物体側から順に、両凹負レンズ２１Ａ”と、物体側に凸の正メニスカスレンズ２２Ａ”と、両凹負レンズ２３Ａ”と、像側に凸の負メニスカスレンズ２４Ａ”とからなる。両凹負レンズ２１Ａ”と正メニスカスレンズ２２Ａ”は接合されている。
【００４５】
≪正負負正負の５群ズームレンズ系≫
本実施形態のズームレンズ系は、数値実施例６では、図７６の簡易移動図に示すように、物体側から順に、正の屈折力の第１レンズ群Ｇ１Ｂと、負の屈折力の第２レンズ群（後続レンズ群、第ｎレンズ群）Ｇ２Ｂと、負の屈折力の第３レンズ群（後続レンズ群）Ｇ３Ｂと、正の屈折力の第４レンズ群（後続レンズ群）Ｇ４Ｂと、負の屈折力の第５レンズ群（後続レンズ群）Ｇ５Ｂとから構成されている。第３レンズ群Ｇ３Ｂには第３レンズ群Ｇ３Ｂと一体に移動する絞りＳが含まれている。Ｉは像面である。
【００４６】
短焦点距離端（Ｗｉｄｅ）から長焦点距離端（Ｔｅｌｅ）への変倍に際し、第１レンズ群Ｇ１Ｂと第２レンズ群Ｇ２Ｂと第３レンズ群Ｇ３Ｂと第５レンズ群Ｇ５Ｂが単調に物体側に移動し、第４レンズ群Ｇ４Ｂが一旦像側に移動した後に短焦点距離端の位置を超えて物体側に移動する。
その結果、第１レンズ群Ｇ１Ｂと第２レンズ群Ｇ２Ｂの間隔が増大し、第２レンズ群Ｇ２Ｂと第３レンズ群Ｇ３Ｂの間隔が増大し、第３レンズ群Ｇ３Ｂと第４レンズ群Ｇ４Ｂの間隔が増大し、第４レンズ群Ｇ４Ｂと第５レンズ群Ｇ５Ｂの間隔が減少する。
なお、変倍に際しての各レンズ群の挙動には自由度があり、種々の設計変更が可能である。
【００４７】
無限遠物体から近距離物体へのフォーカシングは第４レンズ群Ｇ４Ｂを物体側に移動させることによって行う（第４レンズ群Ｇ４Ｂがフォーカスレンズ群を構成する）。
【００４８】
第１レンズ群Ｇ１Ｂは、物体側から順に、物体側に凸の正メニスカスレンズ１１Ｂと、物体側に凸の負メニスカスレンズ１２Ｂと、物体側に凸の正メニスカスレンズ１３Ｂとからなる。負メニスカスレンズ１２Ｂと正メニスカスレンズ１３Ｂは接合されている。
【００４９】
第２レンズ群（第ｎレンズ群）Ｇ２Ｂは、物体側から順に、両凹負レンズ２１Ｂと、両凸正レンズ２２Ｂと、像側に凸の負メニスカスレンズ２３Ｂとからなる。両凹負レンズ２１Ｂと両凸正レンズ２２Ｂは接合されている。
【００５０】
≪正正負正負の５群ズームレンズ系≫
本実施形態のズームレンズ系は、数値実施例７では、図７７の簡易移動図に示すように、物体側から順に、正の屈折力の第１レンズ群Ｇ１Ｃと、正の屈折力の第２レンズ群（後続レンズ群）Ｇ２Ｃと、負の屈折力の第３レンズ群（後続レンズ群、第ｎレンズ群）Ｇ３Ｃと、正の屈折力の第４レンズ群（後続レンズ群）Ｇ４Ｃと、負の屈折力の第５レンズ群（後続レンズ群）Ｇ５Ｃとから構成されている。第４レンズ群Ｇ４Ｃには第４レンズ群Ｇ４Ｃと一体に移動する絞りＳが含まれている。Ｉは像面である。
【００５１】
短焦点距離端（Ｗｉｄｅ）から長焦点距離端（Ｔｅｌｅ）への変倍に際し、第１レンズ群Ｇ１Ｃと第４レンズ群Ｇ４Ｃと第５レンズ群Ｇ５Ｃが単調に物体側に移動し、第２レンズ群Ｇ２Ｃが像面Ｉに対して固定されており（光軸方向に移動せず）、第３レンズ群Ｇ３Ｃが単調に像側に移動する。
その結果、第１レンズ群Ｇ１Ｃと第２レンズ群Ｇ２Ｃの間隔が増大し、第２レンズ群Ｇ２Ｃと第３レンズ群Ｇ３Ｃの間隔が増大し、第３レンズ群Ｇ３Ｃと第４レンズ群Ｇ４Ｃの間隔が減少し、第４レンズ群Ｇ４Ｃと第５レンズ群Ｇ５Ｃの間隔が減少する。
なお、変倍に際しての各レンズ群の挙動には自由度があり、種々の設計変更が可能である。
【００５２】
無限遠物体から近距離物体へのフォーカシングは第５レンズ群Ｇ５Ｃを像側に移動させることによって行う（第５レンズ群Ｇ５Ｃがフォーカスレンズ群を構成する）。
【００５３】
第１レンズ群Ｇ１Ｃは、物体側から順に、物体側に凸の正メニスカスレンズ１１Ｃと、物体側に凸の負メニスカスレンズ１２Ｃと、物体側に凸の正メニスカスレンズ１３Ｃとからなる。負メニスカスレンズ１２Ｃと正メニスカスレンズ１３Ｃは接合されている。
【００５４】
第３レンズ群（第ｎレンズ群）Ｇ３Ｃは、物体側から順に、両凹負レンズ３１Ｃと、物体側に凸の正メニスカスレンズ３２Ｃと、両凹負レンズ３３Ｃとからなる。両凹負レンズ３１Ｃと正メニスカスレンズ３２Ｃは接合されている。
【００５５】
≪正負正負正の５群ズームレンズ系≫
本実施形態のズームレンズ系は、数値実施例８では、図７８の簡易移動図に示すように、物体側から順に、正の屈折力の第１レンズ群Ｇ１Ｄと、負の屈折力の第２レンズ群（後続レンズ群、第ｎレンズ群）Ｇ２Ｄと、正の屈折力の第３レンズ群（後続レンズ群）Ｇ３Ｄと、負の屈折力の第４レンズ群（後続レンズ群）Ｇ４Ｄと、正の屈折力の第５レンズ群（後続レンズ群）Ｇ５Ｄとから構成されている。第３レンズ群Ｇ３Ｄには第３レンズ群Ｇ３Ｄと一体に移動する絞りＳが含まれている。Ｉは像面である。
【００５６】
短焦点距離端（Ｗｉｄｅ）から長焦点距離端（Ｔｅｌｅ）への変倍に際し、第１レンズ群Ｇ１Ｄと第３レンズ群Ｇ３Ｄと第４レンズ群Ｇ４Ｄと第５レンズ群Ｇ５Ｄが単調に物体側に移動し、第２レンズ群Ｇ２Ｄが一旦像側に移動した後に物体側に戻る。このとき第３レンズ群Ｇ３Ｄと第５レンズ群Ｇ５Ｄは一体に移動する。
その結果、第１レンズ群Ｇ１Ｄと第２レンズ群Ｇ２Ｄの間隔が増大し、第２レンズ群Ｇ２Ｄと第３レンズ群Ｇ３Ｄの間隔が減少し、第３レンズ群Ｇ３Ｄと第４レンズ群Ｇ４Ｄの間隔が減少し、第４レンズ群Ｇ４Ｄと第５レンズ群Ｇ５Ｄの間隔が増大する。
なお、変倍に際しての各レンズ群の挙動には自由度があり、種々の設計変更が可能である。
【００５７】
無限遠物体から近距離物体へのフォーカシングは第４レンズ群Ｇ４Ｄを像側に移動させることによって行う（第４レンズ群Ｇ４Ｄがフォーカスレンズ群を構成する）。
【００５８】
第１レンズ群Ｇ１Ｄは、物体側から順に、物体側に凸の正メニスカスレンズ１１Ｄと、物体側に凸の負メニスカスレンズ１２Ｄと、物体側に凸の正メニスカスレンズ１３Ｄとからなる。負メニスカスレンズ１２Ｄと正メニスカスレンズ１３Ｄは接合されている。
【００５９】
第２レンズ群（第ｎレンズ群）Ｇ２Ｄは、物体側から順に、両凹負レンズ２１Ｄと、物体側に凸の正メニスカスレンズ２２Ｄと、像側に凸の負メニスカスレンズ２３Ｄとからなる。両凹負レンズ２１Ｄと正メニスカスレンズ２２Ｄは接合されている。
【００６０】
≪正負正正負正の６群ズームレンズ系≫
本実施形態のズームレンズ系は、数値実施例９では、図７９の簡易移動図に示すように、物体側から順に、正の屈折力の第１レンズ群Ｇ１Ｅと、負の屈折力の第２レンズ群（後続レンズ群、第ｎレンズ群）Ｇ２Ｅと、正の屈折力の第３レンズ群（後続レンズ群）Ｇ３Ｅと、正の屈折力の第４レンズ群（後続レンズ群）Ｇ４Ｅと、負の屈折力の第５レンズ群（後続レンズ群）Ｇ５Ｅと、正の屈折力の第６レンズ群（後続レンズ群）Ｇ６Ｅとから構成されている。第３レンズ群Ｇ３Ｅには第３レンズ群Ｇ３Ｅと一体に移動する絞りＳが含まれている。Ｉは像面である。
【００６１】
短焦点距離端（Ｗｉｄｅ）から長焦点距離端（Ｔｅｌｅ）への変倍に際し、第１レンズ群Ｇ１Ｅと第３レンズ群Ｇ３Ｅと第４レンズ群Ｇ４Ｅと第５レンズ群Ｇ５Ｅと第６レンズ群Ｇ６Ｅが単調に物体側に移動し、第２レンズ群Ｇ２Ｅが像面Ｉに対して固定されている（光軸方向に移動しない）。このとき第４レンズ群Ｇ４Ｅと第６レンズ群Ｇ６Ｅは一体に移動する。
その結果、第１レンズ群Ｇ１Ｅと第２レンズ群Ｇ２Ｅの間隔が増大し、第２レンズ群Ｇ２Ｅと第３レンズ群Ｇ３Ｅの間隔が減少し、第３レンズ群Ｇ３Ｅと第４レンズ群Ｇ４Ｅの間隔が増大し、第４レンズ群Ｇ４Ｅと第５レンズ群Ｇ５Ｅの間隔が減少し、第５レンズ群Ｇ５Ｅと第６レンズ群Ｇ６Ｅの間隔が増大する。
なお、変倍に際しての各レンズ群の挙動には自由度があり、種々の設計変更が可能である。
【００６２】
無限遠物体から近距離物体へのフォーカシングは第５レンズ群Ｇ５Ｅを像側に移動させることによって行う（第５レンズ群Ｇ５Ｅがフォーカスレンズ群を構成する）。
【００６３】
第１レンズ群Ｇ１Ｅは、物体側から順に、物体側に凸の正メニスカスレンズ１１Ｅと、物体側に凸の負メニスカスレンズ１２Ｅと、物体側に凸の正メニスカスレンズ１３Ｅとからなる。負メニスカスレンズ１２Ｅと正メニスカスレンズ１３Ｅは接合されている。
【００６４】
第２レンズ群（第ｎレンズ群）Ｇ２Ｅは、物体側から順に、両凹負レンズ２１Ｅと、物体側に凸の正メニスカスレンズ２２Ｅと、像側に凸の負メニスカスレンズ２３Ｅとからなる。両凹負レンズ２１Ｅと正メニスカスレンズ２２Ｅは接合されている。
【００６５】
≪正負正の３群ズームレンズ系≫
本実施形態のズームレンズ系は、数値実施例１０−１２では、図８０−図８２の簡易移動図に示すように、物体側から順に、正の屈折力の第１レンズ群Ｇ１Ｆと、負の屈折力の第２レンズ群（後続レンズ群、第ｎレンズ群）Ｇ２Ｆと、正の屈折力の第３レンズ群（後続レンズ群）Ｇ３Ｆとから構成されている。第３レンズ群Ｇ３Ｆには第３レンズ群Ｇ３Ｆと一体に移動する絞りＳが含まれている。Ｉは像面である。
【００６６】
短焦点距離端（Ｗｉｄｅ）から長焦点距離端（Ｔｅｌｅ）への変倍に際し、各レンズ群は次のように挙動する。
第１レンズ群Ｇ１Ｆと第３レンズ群Ｇ３Ｆは、数値実施例１０−１２を通じて、単調に物体側に移動する（図８０−図８２）。
第２レンズ群Ｇ２Ｆは、数値実施例１０、１１では、一旦物体側に移動した後に像側に戻り（図８０、図８１）、数値実施例１２では、一旦像側に移動した後に物体側に戻る（図８２）。
その結果、第１レンズ群Ｇ１Ｆと第２レンズ群Ｇ２Ｆの間隔が増大し、第２レンズ群Ｇ２Ｆと第３レンズ群Ｇ３Ｆの間隔が減少する。
なお、変倍に際しての各レンズ群の挙動には自由度があり、種々の設計変更が可能である。
【００６７】
無限遠物体から近距離物体へのフォーカシングは第２レンズ群Ｇ２Ｆを物体側に移動させることによって行う（第２レンズ群Ｇ２Ｆがフォーカスレンズ群を構成する）。
【００６８】
第１レンズ群Ｇ１Ｆは、物体側から順に、物体側に凸の正メニスカスレンズ１１Ｆと、物体側に凸の負メニスカスレンズ１２Ｆと、物体側に凸の正メニスカスレンズ１３Ｆとからなる。負メニスカスレンズ１２Ｆと正メニスカスレンズ１３Ｆは接合されている。
【００６９】
第２レンズ群（第ｎレンズ群）Ｇ２Ｆは、物体側から順に、両凹負レンズ２１Ｆと、物体側に凸の正メニスカスレンズ２２Ｆと、両凹負レンズ２３Ｆとからなる。両凹負レンズ２１Ｆと正メニスカスレンズ２２Ｆは接合されている。
【００７０】
≪正負負正の４群ズームレンズ系≫
本実施形態のズームレンズ系は、数値実施例１３、１４では、図８３の簡易移動図に示すように、物体側から順に、正の屈折力の第１レンズ群Ｇ１Ｇと、負の屈折力の第２レンズ群（後続レンズ群、第ｎレンズ群）Ｇ２Ｇと、負の屈折力の第３レンズ群（後続レンズ群）Ｇ３Ｇと、正の屈折力の第４レンズ群（後続レンズ群）Ｇ４Ｇとから構成されている。第４レンズ群Ｇ４Ｇには第４レンズ群Ｇ４Ｇと一体に移動する絞りＳが含まれている。Ｉは像面である。
【００７１】
短焦点距離端（Ｗｉｄｅ）から長焦点距離端（Ｔｅｌｅ）への変倍に際し、第１レンズ群Ｇ１Ｇと第４レンズ群Ｇ４Ｇが像面Ｉに対して固定されており（光軸方向に移動せず）、第２レンズ群Ｇ２Ｇと第３レンズ群Ｇ３Ｇが単調に像側に移動する。
その結果、第１レンズ群Ｇ１Ｇと第２レンズ群Ｇ２Ｇの間隔が増大し、第２レンズ群Ｇ２Ｇと第３レンズ群Ｇ３Ｇの間隔が減少し、第３レンズ群Ｇ３Ｇと第４レンズ群Ｇ４Ｇの間隔が減少する。
なお、変倍に際しての各レンズ群の挙動には自由度があり、種々の設計変更が可能である。
【００７２】
無限遠物体から近距離物体へのフォーカシングは第１レンズ群Ｇ１Ｇを物体側に移動させることによって行う（第１レンズ群Ｇ１Ｇがフォーカスレンズ群を構成する）。
【００７３】
第１レンズ群Ｇ１Ｇは、物体側から順に、物体側に凸の正メニスカスレンズ１１Ｇと、物体側に凸の負メニスカスレンズ１２Ｇと、物体側に凸の正メニスカスレンズ１３Ｇと、物体側に凸の正メニスカスレンズ１４Ｇとからなる。負メニスカスレンズ１２Ｇと正メニスカスレンズ１３Ｇは接合されている。
【００７４】
第２レンズ群（第ｎレンズ群）Ｇ２Ｇは、物体側から順に、両凹負レンズ２１Ｇと、両凸正レンズ２２Ｇと、両凹負レンズ２３Ｇとからなる。両凹負レンズ２１Ｇと正メニスカスレンズ２２Ｇは、数値実施例１３では接合されておらず、数値実施例１４では接合されている。
【００７５】
≪全数値実施例１−１４を纏めた本実施形態のズームレンズ系≫
本実施形態のズームレンズ系は、物体側から順に、正の屈折力の第１レンズ群（Ｇ１Ａ〜Ｇ１Ｇ）と、該第１レンズ群に後続する後続レンズ群（Ｇ２Ａ〜Ｇ４Ａ、Ｇ２Ｂ〜Ｇ５Ｂ、Ｇ２Ｃ〜Ｇ５Ｃ、Ｇ２Ｄ〜Ｇ５Ｄ、Ｇ２Ｅ〜Ｇ６Ｅ、Ｇ２Ｆ〜Ｇ３Ｆ、Ｇ２Ｇ〜Ｇ４Ｇ）とを有する、いわゆるポジティブリード型のズームレンズ系において、ズーム全域で球面収差、コマ収差、非点収差、色収差等の各種の諸収差を良好に補正することで、光学性能を向上させることを可能とするものである。
【００７６】
一般的にズームレンズ系においては望遠側ほど入射瞳径が大きくなる。特に最も物体側の第１レンズ群は入射瞳径が最も大きい箇所であるため、本実施形態では、各種の諸収差を効率よく補正し且つ像面へと収束させるために、第１レンズ群の構成を工夫している。
【００７７】
より具体的に、第１レンズ群（Ｇ１Ａ〜Ｇ１Ｇ）は、物体側から順に、１枚以上の正レンズ（１１Ａ、１１Ａ’と１２Ａ’、１１Ｂ、１１Ｃ、１１Ｄ、１１Ｅ、１１Ｆ、１１Ｇ）と、物体側に凸面を向けた負メニスカスレンズ（１２Ａ、１３Ａ’、１２Ｂ、１２Ｃ、１２Ｄ、１２Ｅ、１２Ｆ、１２Ｇ）と、１枚以上の正レンズ（１３Ａ、１４Ａ’、１３Ｂ、１３Ｃ、１３Ｄ、１３Ｅ、１３Ｆ、１３Ｇと１４Ｇ）とを有している。
【００７８】
第１レンズ群中の最も物体側に正単レンズ（１１Ａ、１１Ａ’、１１Ｂ、１１Ｃ、１１Ｄ、１１Ｅ、１１Ｆ、１１Ｇ）を配置することで、最も大きい入射瞳径を効率的に収束させ、第１レンズ群中の後続レンズによる収差補正の負担を軽減することができる。仮に、第１レンズ群中の最も物体側に負レンズを配置すると、入射光が発散され、第１レンズ群中の後続レンズに入射する光束がさらに大きくなり、第１レンズ群中の後続レンズによる収差補正の負担が過大になってしまう。また仮に、第１レンズ群中の最も物体側の正レンズを負レンズとの接合レンズとすると、接合レンズ全体として正のパワーが弱まって収束作用が小さくなるとともに、負レンズとの接合作用により正レンズのパワーが強くなってしまい、接合レンズ単独で球面収差やコマ収差が発生してしまう。
【００７９】
また、第１レンズ群中の最も物体側から順に複数枚の正単レンズを配置することも可能である。これにより、それぞれの正単レンズが受け持つ収差補正の負担を小さくする（収差補正の負担を分担する）ことができ、より高い収差補正の効果が得られ、さらには望遠側のＦナンバーを小さくする（明るくする）ことが可能になる。
【００８０】
第１レンズ群中の最も物体側に位置する１枚以上の正単レンズに続けて、物体側に凸面を向けた負メニスカスレンズ（１２Ａ、１３Ａ’、１２Ｂ、１２Ｃ、１２Ｄ、１２Ｅ、１２Ｆ、１２Ｇ）が配置されている。この負メニスカスレンズにある程度強い負のパワーを持たせることで、球面収差、コマ収差、色収差等を良好に補正することが可能になる。仮にこの負メニスカスレンズに代えて物体側に平面または凹面を向けた負レンズを用いた場合、面の法線と光線の入射角の角度差が大きくなって収差が大きく発生してしまう。特に、軸外の収差（コマ収差、非点収差、倍率色収差）は、第１レンズ群中の後続レンズで補正することが難しくなってしまう。
【００８１】
第１レンズ群中の負メニスカスレンズに続けて、１枚以上の正レンズ（１３Ａ、１４Ａ’、１３Ｂ、１３Ｃ、１３Ｄ、１３Ｅ、１３Ｆ、１３Ｇと１４Ｇ）が配置されている。負メニスカスレンズには収差補正上ある程度強い負のパワーを持たせなければならないため、負メニスカスレンズの像側の凹面で球面収差やコマ収差が発生し得る。負メニスカスレンズに続く１枚以上の正レンズは、この球面収差やコマ収差を補正する役割を持つ。
【００８２】
ここで、負メニスカスレンズの像側の面とその直後の正レンズの物体側の面が相対的に偏芯することにより性能が低下するおそれがある。そこで、負メニスカスレンズの像側の面とその直後の正レンズの物体側の面を接合することで、製造誤差に起因する性能低下を軽減することができる。負メニスカスレンズの像側の面とその直後の正レンズの物体側の面を接合しない場合は、両レンズ（両面）の間にある程度の空気間隔を設け、両レンズ（両面）の曲率半径に差をつけることで、空気レンズとして球面収差やコマ収差の補正に利用することができる。この場合は、両レンズ（両面）の間に間隔環を挟む、または一方の面取り部を他方の面に当てるなどして枠で固定することで製造誤差を低減することができる。
【００８３】
第１レンズ群中に配置する正レンズは、物体側に凸面を向けた正メニスカス形状とすることが好ましい。これにより、面の法線と光線の入射角の角度差を小さくして収差の発生を抑制することができる。第１レンズ群は全体として正のパワーを持つため、レンズ全長を短くすることだけに主眼を置くと、第１レンズ群中の正レンズのパワーを強くするべく、当該正レンズの像側の面を凸面（両凸レンズ）とする設計がされがちである。しかし、この場合、面の法線と光線の入射角の角度差が大きくなって収差が大きく発生してしまう。
【００８４】
第１レンズ群を、物体側から順に、正レンズ、物体側に凸面を向けた負メニスカスレンズ及び正レンズの３枚のレンズから構成することで、第１レンズ群が、中央の負メニスカスレンズを中心としてこれを両側の２枚の正レンズで挟み込んだ対称的な配置となり、少ない枚数による第１レンズ群の厚み（群厚）の薄型化と良好な収差補正とを両立することができる。
【００８５】
第１レンズ群を変倍時固定とすると、短焦点距離端における軸外光を入射させるために、第１レンズ群の径（前玉径）が大きくなる結果、軸外のコマ収差等が発生しがちになる。本実施形態のように、変倍時に第１レンズ群を物体側に移動させる（繰り出す）ことにより、第１レンズ群の外径（前玉径）を抑えて小型化を図りつつ、軸外のコマ収差等を抑えて優れた光学性能を達成することができる。
【００８６】
第１レンズ群に後続する後続レンズ群は、少なくとも１つの負の屈折力のレンズ群を含んでおり、本実施形態では、後続レンズ群中の最も物体側に位置する負の屈折力のレンズ群を「第ｎレンズ群」と定義している。この負の屈折力の第ｎレンズ群と、前後に配置されるレンズ群との相互間隔を変化させることにより、比較的大きな変倍比を得ることが可能になる。また、例えばレンズ交換式のカメラシステムにズームレンズ系を適用した場合、焦点距離が短い広角側においてバックフォーカスが不足する事態が起こりやすいが、負の屈折力の第ｎレンズ群のパワーと構成を最適設定することにより、バックフォーカスの確保と光学的な性能向上の両立が可能となる。
【００８７】
負の屈折力の第ｎレンズ群中の最も物体側に負レンズを配置することにより、バックフォーカスの確保を効果的に行うことができる。また第ｎレンズ群中の最も物体側の負レンズの像側面は像側に凹面を向けた形状（言い換えれば、物体側に凸面を向けた形状）とすることが好ましい。負の屈折力の第ｎレンズ群においては、第１レンズ群に比べて入射瞳径が小さいので、最も物体側の負レンズの像側面を物体側に凸面を向けた形状とすれば、面の法線と光線の入射角の角度の乖離を小さくして、ある程度強い曲率を持つことができるため、収差補正とバックフォーカスの確保を両立することが可能になる。
【００８８】
負の屈折力の第ｎレンズ群中の最も物体側の負レンズに続けて、正レンズを配置することにより、広角側のコマ収差や倍率色収差、望遠側の球面収差、さらにはズーム全域に亘る軸上色収差を良好に補正することができる。負の屈折力の第ｎレンズ群中の最も物体側の負レンズとこれに続く正レンズを接合することにより、望遠側において各波長の球面収差を揃えやすくすることができる。
【００８９】
変倍比を大きくし、特に広角側の焦点距離を大きくするほど、第ｎレンズ群の負のパワーを強くするべく、第ｎレンズ群にさらなる負レンズを設けることが必要となる。そこで、第ｎレンズ群中の最も物体側の負レンズだけでなく（に加えて）、第ｎレンズ群中の最も像側にも負レンズを設けることが好ましい。この最も像側の負レンズに入射する光は発散光であるため、この最も像側の負レンズは物体側に凹面を向けた形状とすることが好ましい。これにより、変倍比を大きくした場合であっても、ズーム全域に亘ってコマ収差や非点収差の変動を抑えることが可能になる。
【００９０】
負の屈折力の第ｎレンズ群を、物体側から順に、物体側に凸面を向けた接合面を有する負レンズと正レンズの接合レンズ、及び、負レンズの３枚のレンズから構成することで、第ｎレンズ群が、中央の正レンズを両側の２枚の負レンズで挟み込んだ対称的な配置となり、少ない枚数による第１レンズ群の厚み（群厚）の薄型化と良好な収差補正とを両立することができる。
【００９１】
条件式（１）及び（１’）は、第１レンズ群の焦点距離と、第１レンズ群中の負メニスカスレンズの焦点距離との比を規定している。条件式（１）を満足することで、球面収差、コマ収差、色収差を良好に補正することができる。さらに条件式（１’）を満足することで、上記効果に加えて、ズーム全域に亘って球面収差、コマ収差、非点収差、色収差を良好に補正することができる。
条件式（１）及び（１’）の上限を上回ると、第１レンズ群中の負メニスカスレンズのパワーが弱くなりすぎて、球面収差、コマ収差、色収差の補正が困難になってしまう。
条件式（１’）の下限を下回ると、第１レンズ群中の負メニスカスレンズのパワーが強くなりすぎて、ズーム全域に亘る球面収差、コマ収差、非点収差、色収差の補正が困難になってしまう。
【００９２】
条件式（２）及び（２’）は、第１レンズ群中の正レンズのｄ線に対するアッベ数の平均値を規定している。条件式（２）を満足することで、望遠側の軸上色収差、ズーム全域に亘る倍率色収差を良好に補正することができる。また、変倍時の球面収差、コマ収差、非点収差の変動を小さくすることができる。この作用効果は、条件式（２’）を満足することでより顕著に得ることができる。
条件式（２）の下限を下回ると、望遠側の軸上色収差、ズーム全域に亘る倍率色収差の補正が困難になってしまう。また条件式（２）の下限を下回った状態で色収差を補正しようとすると、第１レンズ群内の各レンズのパワーを過剰に強くしなければならないため、変倍時の球面収差、コマ収差、非点収差の変動が大きくなってしまう。
【００９３】
条件式（３）及び（３’）は、第１レンズ群の焦点距離と、後続レンズ群中の最も物体側に位置する負の屈折力の第ｎレンズ群の焦点距離との比を規定している。条件式（３）を満足することで、球面収差、コマ収差、非点収差、色収差を良好に補正することができる。さらに条件式（３’）を満足することで、上記効果に加えて、第１レンズ群の変倍移動量を抑えてレンズ系の小型化を図るとともに、軸外のコマ収差、非点収差、倍率色収差を良好に補正することができる。
条件式（３）及び（３’）の上限を上回ると、第１レンズ群のパワーが強くなりすぎて、球面収差、コマ収差、非点収差、色収差の補正が困難になってしまう。
条件式（３’）の下限を下回ると、第１レンズ群のパワーが弱くなりすぎて、第１レンズ群の変倍移動量が増大してしまう。その結果、レンズ全長が増大するとともに、軸外光束を通すために第１レンズ群を径方向に大きくしなければならず（前玉径の増大が避けられず）、軸外のコマ収差、非点収差、倍率色収差が悪化してしまう。
【００９４】
条件式（４）及び（４’）は、第１レンズ群中の負メニスカスレンズのｄ線に対する屈折率を規定している。条件式（４）を満足することで、ズーム全域に亘って球面収差、コマ収差、非点収差、色収差を良好に補正することができる。さらに条件式（４’）を満足することで、上記効果に加えて、球面収差、コマ収差、軸上色収差、倍率色収差を良好に補正することができる。
条件式（４）及び（４’）の下限を下回ると、第１レンズ群中の負メニスカスレンズの像側の凹面の曲率が強くなりすぎて、ズーム全域に亘る球面収差、コマ収差、非点収差、色収差の補正が困難になってしまう。
条件式（４’）の上限を上回ると、第１レンズ群中の負メニスカスレンズとその像側の直後に位置する正レンズとの間の屈折率の差が大きくなりすぎて、球面収差やコマ収差の補正が困難になってしまう。当該屈折率の差を小さくするために第１レンズ群中の負メニスカスレンズの像側の直後に位置する正レンズの屈折率を高くすると、高分散材料を選択することになるため、軸上色収差や倍率色収差の補正が困難になってしまう。
【００９５】
条件式（５）は、第１レンズ群の焦点距離と、第１レンズ群の最も物体側の面の近軸曲率半径との比を規定している。条件式（５）を満足することで、球面収差、コマ収差、非点収差、倍率色収差を良好に補正することができる。
条件式（５）の上限を上回ると、第１レンズ群の最も物体側の面の曲率が強くなりすぎて、ズーム全域に亘る球面収差、コマ収差、非点収差の補正が困難になってしまう。
条件式（５）の下限を下回ると、第１レンズ群中の最も物体側のレンズにおいてその物体側の面の曲率が弱くなったとき、一定の正のパワーを保つために像側の面の曲率を強くしなければならず、その結果、球面収差やコマ収差、非点収差の補正が困難になってしまう。
【００９６】
条件式（６）及び（６’）は、第１レンズ群中の負メニスカスレンズの形状（シェーピングファクター）を規定している。条件式（６）を満足することで、軸外光束の入射光線と面法線がなす角度を小さくして、コマ収差、非点収差、倍率色収差を良好に補正することができる。さらに条件式（６’）を満足することで、上記効果に加えて、ズーム全域に亘って、球面収差、コマ収差、非点収差、色収差を良好に補正することができる。
条件式（６）及び（６’）の下限を下回ると、第１レンズ群中の負レンズの物体側の面が平面または凹面になり、軸外光束の入射光線と面法線がなす角度が大きくなる。その結果、コマ収差、非点収差、倍率色収差の補正が困難になってしまう。
条件式（６’）の上限を上回ると、第１レンズ群中の負メニスカスレンズの像側の面が曲率の強い凹面になり、ズーム全域に亘る球面収差、コマ収差、非点収差、色収差の補正が困難になってしまう。
【００９７】
条件式（７）及び（７’）は、後続レンズ群中の最も物体側に位置する負の屈折力の第ｎレンズ群の焦点距離と、この第ｎレンズ群中の最も物体側の負レンズの像側の面の近軸曲率半径との比を規定している。条件式（７）を満足することで、主に望遠側におけるコマ収差を良好に補正することができる。さらに条件式（７’）を満足することで、上記効果に加えて、ズーミング時の像面湾曲の変動を小さく抑えることができる。
条件式（７）及び（７’）の上限を上回ると、第ｎレンズ群中の最も物体側の負レンズの像側の面の曲率が弱くなりすぎ且つ物体側の面が強い曲率の凹面になる結果、主に望遠側におけるコマ収差の補正が困難になってしまう。
条件式（７’）の下限を下回ると、第ｎレンズ群中の最も物体側の負レンズの像側の面の曲率が強くなりすぎて、ズーミング時の像面湾曲の変動が大きくなってしまう。
【００９８】
条件式（８）及び（８’）は、第ｎレンズ群中の最も像側の負レンズのｄ線に対するアッベ数を規定している。条件式（８）を満足することで、ズーム全域に亘る倍率色収差、主に望遠側における軸上色収差を良好に補正することができる。この作用効果は、条件式（８’）を満足することでより顕著に得ることができる。
条件式（８）の下限を下回ると、ズーム全域に亘る倍率色収差、主に望遠側における軸上色収差の補正が困難になってしまう。
【００９９】
条件式（９）は、第１レンズ群中の負メニスカスレンズのｄ線に対するアッベ数と短波長側（ｇ線からＦ線）における部分分散比が満足すべき関係（負メニスカスレンズの異常分散性）を規定している。条件式（９）を満足することで、第１レンズ群中の負メニスカスレンズの異常分散性が最適設定され、軸上色収差の２次スペクトルを抑えることができる。
条件式（９）を満足しないと、第１レンズ群中の負メニスカスレンズに異常分散性が高い硝材を用いることになり、軸上色収差の２次スペクトルが増加してしまう。
【０１００】
条件式（１０）及び（１０’）は、第１レンズ群中の負メニスカスレンズのｄ線に対するアッベ数を規定している。条件式（１０）を満足することで、軸上色収差と倍率色収差を良好に補正することができる。さらに条件式（１０’）を満足することで、上記効果に加えて、ズーミング時の球面収差、コマ収差、非点収差の変動を小さく抑えることができる。
条件式（１０）及び（１０’）の下限を下回ると、軸上色収差と倍率色収差が過剰補正となってしまう。
条件式（１０’）の上限を上回ると、軸上色収差と倍率色収差が補正不足となってしまう。条件式（１０’）の上限を上回った状態で色収差を補正しようとすると、第１レンズ群内の各レンズのパワーが強くなり（強くせざるを得ず）、ズーミング時の球面収差、コマ収差、非点収差の変動が大きくなってしまう。
【０１０１】
条件式（１１）及び（１１’）は、第１レンズ群の焦点距離と、第１レンズ群中の負メニスカスレンズの像側の面の近軸曲率半径との比を規定している。条件式（１１）を満足することで、負メニスカスレンズが負担する球面収差、コマ収差、色収差の補正を両立させることができる。この作用効果は、条件式（１１’）を満足することでより顕著に得ることができる。さらに条件式（１１’）を満足することで、上記効果に加えて、負メニスカスレンズの像側の凹面で発生する球面収差やコマ収差を良好に補正することができる。
条件式（１１）の下限を下回ると、第１レンズ群中の負メニスカスレンズの像側の凹面の曲率半径が大きくなりすぎて当該負メニスカスレンズのパワーが弱くなる結果、当該負メニスカスレンズが負担する球面収差、コマ収差、色収差の補正を両立させることが困難になってしまう。
条件式（１１’）の上限を上回ると、第１レンズ群中の負メニスカスレンズの像側の凹面の曲率が強くなりすぎて、この像側の凹面で発生する球面収差やコマ収差の補正が困難になってしまう。
【０１０２】
条件式（１２）は、第１レンズ群の焦点距離と、第１レンズ群の最も物体側の面から最も像側の面までの光軸上の距離（第１レンズ群の群厚）との比を規定している。条件式（１２）を満足することで、第１レンズ群ひいてはレンズ全系を小型化（レンズ全長を短縮化）するとともに、球面収差、コマ収差、非点収差、色収差（倍率色収差）を良好に補正することができる。
条件式（１２）の上限を上回ると、第１レンズ群のパワーが弱くなりすぎて、第１レンズ群の変倍移動量（繰り出し量）が増大してしまう。その結果、レンズ全長が増大するとともに、軸外光束を通すために第１レンズ群を径方向に大きくしなければならず（前玉径の増大が避けられず）、軸外のコマ収差、非点収差、倍率色収差が悪化してしまう。
条件式（１２）の下限を下回ると、第１レンズ群のパワーが強くなりすぎて、球面収差、コマ収差、非点収差、色収差の補正が困難になってしまう。または、第１レンズ群ひいてはレンズ全系が大型化（レンズ全長が増大）してしまう。
【０１０３】
条件式（１３）、（１３’）及び（１３”）は、第１レンズ群の焦点距離と、短焦点距離端における全系の焦点距離との比を規定している。条件式（１３）を満足することで、球面収差、コマ収差、非点収差、色収差を良好に補正することができる。さらに条件式（１３’）を満足することで、上記効果に加えて、第１レンズ群の変倍移動量を抑えてレンズ系の小型化を図るとともに、軸外のコマ収差、非点収差、倍率色収差を良好に補正することができる。この追加の作用効果は、条件式（１３”）を満足することでより顕著に得ることができる。
条件式（１３）の下限を下回ると、第１レンズ群のパワーが強くなりすぎて、球面収差、コマ収差、非点収差、色収差の補正が困難になってしまう。
条件式（１３’）の上限を上回ると、第１レンズ群のパワーが弱くなりすぎて、第１レンズ群の変倍移動量（繰り出し量）が増大してしまう。その結果、レンズ全長が増大するとともに、軸外光束を通すために第１レンズ群を径方向に大きくしなければならず（前玉径の増大が避けられず）、軸外のコマ収差、非点収差、倍率色収差が悪化してしまう。
【０１０４】
条件式（１４）、（１４’）及び（１４”）は、第１レンズ群の焦点距離と、短焦点距離端における全系の焦点距離と、長焦点距離端における全系の焦点距離との比を規定している。条件式（１４）を満足することで、球面収差、コマ収差、非点収差、色収差を良好に補正することができる。さらに条件式（１４’）を満足することで、上記効果に加えて、第１レンズ群の変倍移動量を抑えてレンズ系の小型化を図るとともに、軸外のコマ収差、非点収差、倍率色収差を良好に補正することができる。この追加の作用効果は、条件式（１４”）を満足することでより顕著に得ることができる。
条件式（１４）の下限を下回ると、第１レンズ群のパワーが強くなりすぎて、球面収差、コマ収差、非点収差、色収差の補正が困難になってしまう。
条件式（１４’）の上限を上回ると、第１レンズ群のパワーが弱くなりすぎて、第１レンズ群の変倍移動量（繰り出し量）が増大してしまう。その結果、レンズ全長が増大するとともに、軸外光束を通すために第１レンズ群を径方向に大きくしなければならず（前玉径の増大が避けられず）、軸外のコマ収差、非点収差、倍率色収差が悪化してしまう。
【実施例】
【０１０５】
次に具体的な数値実施例１−１４を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数、ｆｎは第１レンズ群中の負メニスカスレンズの焦点距離、θｇＦｎは第１レンズ群中の負メニスカスレンズの短波長側における部分分散比を示す。バックフォーカスはレンズ全系の最も像側の面から像面Ｉ（図７１〜図８４）までの距離である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−１４を通じて、非球面レンズは用いていない。但し光学系のいずれかの部分に非球面や回折面を用いることで収差補正の効果を得る態様も可能である。
【０１０６】
［数値実施例１］
図１〜図５と表１〜表４は、本発明によるズームレンズ系の数値実施例１を示している。図１は短焦点距離端における無限遠合焦時のレンズ構成図、図２（Ａ）〜（Ｄ）と図３（Ａ）〜（Ｄ）は短焦点距離端における無限遠合焦時の諸収差図と横収差図、図４（Ａ）〜（Ｄ）と図５（Ａ）〜（Ｄ）は長焦点距離端における無限遠合焦時の諸収差図と横収差図である。表１は面データ、表２は無限遠の被写体に合焦させた状態（撮影倍率＝０）における各種データ、表３はレンズ群データ、表４は有限距離の被写体に合焦させた状態における各種データである。
【０１０７】
本数値実施例１のズームレンズ系は、物体側から順に、正の屈折力の第１レンズ群Ｇ１Ａと、負の屈折力の第２レンズ群（後続レンズ群、第ｎレンズ群）Ｇ２Ａと、正の屈折力の第３レンズ群（後続レンズ群）Ｇ３Ａと、負の屈折力の第４レンズ群（後続レンズ群）Ｇ４Ａとから構成されている。第３レンズ群Ｇ３Ａには第３レンズ群Ｇ３Ａと一体に移動する絞りＳが含まれている。
【０１０８】
第１レンズ群Ｇ１Ａは、物体側から順に、物体側に凸の正メニスカスレンズ１１Ａと、物体側に凸の負メニスカスレンズ１２Ａと、物体側に凸の正メニスカスレンズ１３Ａとからなる。負メニスカスレンズ１２Ａと正メニスカスレンズ１３Ａは接合されている。
【０１０９】
第２レンズ群Ｇ２Ａは、物体側から順に、両凹負レンズ２１Ａと、物体側に凸の正メニスカスレンズ２２Ａと、両凹負レンズ２３Ａとからなる。両凹負レンズ２１Ａと正メニスカスレンズ２２Ａは接合されている。
【０１１０】
第３レンズ群Ｇ３Ａは、物体側から順に、両凸正レンズ３１Ａと、両凸正レンズ３２Ａと、両凹負レンズ３３Ａと、絞りＳと、物体側に凸の負メニスカスレンズ３４Ａと、両凸正レンズ３５Ａと、物体側に凸の正メニスカスレンズ３６Ａとからなる。両凸正レンズ３２Ａと両凹負レンズ３３Ａは接合されている。
【０１１１】
第４レンズ群Ｇ４Ａは、物体側から順に、像側に凸の正メニスカスレンズ４１Ａと、両凹負レンズ４２Ａとからなる。
【０１１２】
（表１）
面データ
面番号          R          d          N(d)        ν(d)
1            66.223      5.940      1.51633       64.14
2           990.033      0.150
3           119.740      1.700      1.78590       44.20
4            41.913      8.270      1.48749       70.24
5           533.575        d5
6          -200.863      1.200      1.79952       42.22
7            20.538      2.960      1.84666       23.78
8            77.368      2.101
9           -49.938      1.100      1.80400       46.58
10         3743.504       d10
11           74.271      3.220      1.72916       54.68
12         -101.460      0.200
13           33.328      4.920      1.49700       81.55
14          -58.601      1.200      1.80610       33.27
15           97.682      2.700
16絞           ∞       15.026
17           78.451      1.100      1.80610       33.27
18           30.401      1.242
19           67.476      4.540      1.58913       61.13
20          -67.476      0.200
21           26.356      3.730      1.58313       59.37
22          200.093       d22
23         -225.082      2.110      1.78472       25.68
24          -47.838      1.968
25          -44.791      1.000      1.69680       55.53
26           29.861        -
ｆｎ：-82.849
θｇＦｎ：0.5631
（表２）
無限遠の被写体に合焦させた状態（撮影倍率＝０）における各種データ
ズーム比（変倍比）    5.15
短焦点距離端          中間焦点距離          長焦点距離端
FNO.           4.60                  5.14                  6.48
f            56.500               132.085               291.188
W              14.5                   6.0                   2.7
Y             14.24                 14.24                 14.24
fB           52.474                57.967                81.814
L           163.502               201.850               233.845
d5            2.392                53.371                79.101
d10          39.049                18.199                 3.044
d22           3.010                 5.736                 3.310
（表３）
レンズ群データ
群                始面             焦点距離
1                    1              166.473
2（後続、ｎ）        6              -33.874
3（後続）           11               35.379
4（後続）           23              -39.835
（表４）
有限距離の被写体に合焦させた状態における各種データ
物像間距離     5000.0    5000.0    5000.0
倍率           -0.012    -0.027    -0.058
d5              2.392    53.371    79.101
d10            39.049    18.199     3.044
d22             3.163     6.455     5.408
fB             52.321    57.248    79.716
物像間距離     1500.0    1500.0    1500.0
倍率           -0.041    -0.090    -0.191
d5              2.392    53.371    79.101
d10            39.049    18.199     3.044
d22             3.553     8.216    10.562
fB             51.931    55.487    74.562
【０１１３】
［数値実施例２］
図６〜図１０と表５〜表８は、本発明によるズームレンズ系の数値実施例２を示している。図６は短焦点距離端における無限遠合焦時のレンズ構成図、図７（Ａ）〜（Ｄ）と図８（Ａ）〜（Ｄ）は短焦点距離端における無限遠合焦時の諸収差図と横収差図、図９（Ａ）〜（Ｄ）と図１０（Ａ）〜（Ｄ）は長焦点距離端における無限遠合焦時の諸収差図と横収差図である。表５は面データ、表６は無限遠の被写体に合焦させた状態（撮影倍率＝０）における各種データ、表７はレンズ群データ、表８は有限距離の被写体に合焦させた状態における各種データである。
【０１１４】
この数値実施例２のレンズ構成は、以下の点を除き、数値実施例１のレンズ構成と同様である。
（１）第２レンズ群Ｇ２Ａの負レンズ２３Ａが像側に凸の負メニスカスレンズである。
【０１１５】
（表５）
面データ
面番号          R          d          N(d)        ν(d)
1            61.393      6.401      1.51633       64.14
2           902.173      0.150
3            95.930      1.700      1.77250       49.60
4            36.721      8.600      1.49700       81.55
5           141.796        d5
6          -177.869      1.200      1.77250       49.60
7            29.098      3.290      1.84666       23.78
8            86.418      2.000
9           -62.371      1.100      1.75700       47.82
10        -2093.121       d10
11           99.539      3.220      1.77250       49.60
12         -149.308      0.200
13           36.913      4.920      1.43875       94.94
14          -59.665      1.200      1.85026       32.27
15          214.161      2.700
16絞          ∞        14.600
17           53.687      1.100      1.80610       33.27
18           31.115      1.020
19           75.699      4.540      1.48749       70.24
20          -52.963      0.200
21           25.649      3.730      1.51633       64.14
22          367.504       d22
23         -151.738      2.110      1.78472       25.68
24          -43.324      1.970
25          -41.608      1.000      1.69680       55.53
26           27.738        -
ｆｎ：-77.992
θｇＦｎ：0.5520
（表６）
無限遠の被写体に合焦させた状態（撮影倍率＝０）における各種データ
ズーム比（変倍比）    5.15
短焦点距離端          中間焦点距離          長焦点距離端
FNO.           4.60                  5.21                  6.30
f            56.475               131.498               291.112
W              14.6                   6.1                   2.7
Y             14.24                 14.24                 14.24
fB           52.790                60.197                80.531
L           180.222               209.742               239.581
d5            2.392                53.073                85.419
d10          53.667                23.179                 3.000
d22           4.422                 6.342                 3.681
（表７）
レンズ群データ
群                始面             焦点距離
1                    1              186.993
2（後続、ｎ）        6              -42.087
3（後続）           11               35.447
4（後続）           23              -35.658
（表８）
有限距離の被写体に合焦させた状態における各種データ
物像間距離     5000.0    5000.0    5000.0
倍率           -0.012    -0.026    -0.058
d5              2.392    53.073    85.419
d10            53.667    23.179     3.000
d22             4.551     6.913     5.480
fB             52.661    59.626    78.732
物像間距離     1500.0    1500.0    1500.0
倍率           -0.041    -0.090    -0.188
d5              2.392    53.073    85.419
d10            53.667    23.179     3.000
d22             4.881     8.309     9.804
fB             52.330    58.230    74.408
【０１１６】
［数値実施例３］
図１１〜図１５と表９〜表１２は、本発明によるズームレンズ系の数値実施例３を示している。図１１は短焦点距離端における無限遠合焦時のレンズ構成図、図１２（Ａ）〜（Ｄ）と図１３（Ａ）〜（Ｄ）は短焦点距離端における無限遠合焦時の諸収差図と横収差図、図１４（Ａ）〜（Ｄ）と図１５（Ａ）〜（Ｄ）は長焦点距離端における無限遠合焦時の諸収差図と横収差図である。表９は面データ、表１０は無限遠の被写体に合焦させた状態（撮影倍率＝０）における各種データ、表１１はレンズ群データ、表１２は有限距離の被写体に合焦させた状態における各種データである。
【０１１７】
この数値実施例３のレンズ構成は、以下の点を除き、数値実施例１のレンズ構成と同様である。
（１）第１レンズ群Ｇ１Ａの負メニスカスレンズ１２Ａと正メニスカスレンズ１３Ａが接合されていない。
【０１１８】
（表９）
面データ
面番号          R          d          N(d)        ν(d)
1            72.233      5.940      1.56384       60.67
2          2154.156      0.150
3           198.530      1.695      1.65412       39.68
4            53.924      1.018
5            64.003      6.793      1.48749       70.24
6           351.929        d6
7          -122.680      1.200      1.72000       41.98
8            23.598      3.290      1.84666       23.78
9           145.444      2.000
10          -85.911      1.100      1.83400       37.16
11          104.904       d11
12           85.156      3.220      1.60311       60.64
13         -100.708      0.200
14           31.321      4.920      1.43875       94.94
15          -69.807      1.200      1.80610       33.27
16          264.365      2.700
17絞          ∞        15.347
18           63.407      1.100      1.80610       33.27
19           28.316      1.524
20          196.667      4.540      1.58913       61.13
21          -70.259      0.200
22           27.416      3.730      1.58313       59.37
23          149.019       d23
24        -1112.327      2.110      1.78472       25.68
25          -59.735      1.970
26          -53.548      1.000      1.69680       55.53
27           38.046        -
ｆｎ：-113.707
θｇＦｎ：0.5737
（表１０）
無限遠の被写体に合焦させた状態（撮影倍率＝０）における各種データ
ズーム比（変倍比）    5.14
短焦点距離端          中間焦点距離          長焦点距離端
FNO.           4.60                  4.96                  6.52
f            56.497               105.725               290.400
W              14.6                   7.6                   2.8
Y             14.24                 14.24                 14.24
fB           49.997                49.721                81.617
L           169.218               197.275               247.917
d6            2.400                46.685                93.054
d11          45.623                23.956                 3.000
d23           5.252                 9.966                 3.300
（表１１）
レンズ群データ
群                始面             焦点距離
1                    1              194.587
2（後続、ｎ）        7              -41.025
3（後続）           12               40.075
4（後続）           24              -55.109
（表１２）
有限距離の被写体に合焦させた状態における各種データ
物像間距離     5000.0    5000.0    5000.0
倍率           -0.012    -0.021    -0.058
d6              2.400    46.685    93.054
d11            45.623    23.956     3.000
d23             5.517    10.870     6.742
fB             48.732    48.817    78.175
物像間距離     1500.0    1500.0    1500.0
倍率           -0.041    -0.073    -0.190
d6              2.400    46.685    93.054
d11            45.623    23.956     3.000
d23             6.194    13.155    15.603
fB             48.055    46.532    69.314
【０１１９】
［数値実施例４］
図１６〜図２０と表１３〜表１６は、本発明によるズームレンズ系の数値実施例４を示している。図１６は短焦点距離端における無限遠合焦時のレンズ構成図、図１７（Ａ）〜（Ｄ）と図１８（Ａ）〜（Ｄ）は短焦点距離端における無限遠合焦時の諸収差図と横収差図、図１９（Ａ）〜（Ｄ）と図２０（Ａ）〜（Ｄ）は長焦点距離端における無限遠合焦時の諸収差図と横収差図である。表１３は面データ、表１４は無限遠の被写体に合焦させた状態（撮影倍率＝０）における各種データ、表１５はレンズ群データ、表１６は有限距離の被写体に合焦させた状態における各種データである。
【０１２０】
この数値実施例４のレンズ構成は、以下の点を除き、数値実施例１のレンズ構成と同様である。
（１）第２レンズ群Ｇ２Ａが、物体側から順に、両凹負レンズ２１Ａ’と、両凸正レンズ２２Ａ’と、像側に凸の負メニスカスレンズ２３Ａ’と、両凸正レンズ２４Ａ’と、両凸正レンズ２５Ａ’と、両凹負レンズ２６Ａ’とからなる。両凹負レンズ２１Ａ’と両凸正レンズ２２Ａ’は接合されており、両凸正レンズ２５Ａ’と両凹負レンズ２６Ａ’は接合されている。
（２）第３レンズ群Ｇ３Ａが、物体側から順に、両凸正レンズ３１Ａ’と、両凸正レンズ３２Ａ’と、像側に凸の負メニスカスレンズ３３Ａ’と、両凸正レンズ３４Ａ’とからなる。両凸正レンズ３２Ａ’と負メニスカスレンズ３３Ａ’は接合されている。
【０１２１】
（表１３）
面データ
面番号          R          d          N(d)        ν(d)
1            70.162      6.719      1.48749       70.24
2          1062.964      0.150
3            72.242      1.700      1.79952       42.22
4            40.808      7.950      1.49700       81.55
5            95.931        d5
6           -99.283      1.100      1.65412       39.68
7            46.676      3.671      1.84666       23.78
8          -227.495      1.850
9           -45.478      1.100      1.74400       44.79
10         -130.368      4.240
11         1010.844      3.020      1.69680       55.53
12          -57.629      0.200
13           47.198      4.388      1.58913       61.13
14         -554.056      1.120      1.90366       31.31
15           39.442       d15
16絞          ∞        9.970
17         1476.750      2.844      1.49700       81.55
18         -113.772      1.000
19         2490.306      5.600      1.58913       61.13
20          -27.109      1.000      1.74950       35.33
21         -601.561      0.500
22          149.878      3.977      1.80440       39.58
23          -66.211       d23
24          -65.900      1.840      1.80518       25.43
25          -34.671      1.160
26          -33.551      0.800      1.61800       63.33
27           52.978        -
ｆｎ：-120.191
θｇＦｎ：0.5672
（表１４）
無限遠の被写体に合焦させた状態（撮影倍率＝０）における各種データ
ズーム比（変倍比）    2.35
短焦点距離端          中間焦点距離          長焦点距離端
FNO.           4.60                  5.10                  6.03
f           123.700               199.066               290.532
W               6.5                   4.0                   2.8
Y             14.24                 14.24                 14.24
fB           37.599                59.674                90.719
L            159.21                197.42                234.86
d5            8.870                51.240                68.920
d15          18.930                 7.360                 6.820
d23          27.910                13.250                 2.500
（表１５）
レンズ群データ
群                始面             焦点距離
1                    1              181.463
2（後続、ｎ）        6             -164.680
3（後続）           17               57.648
4（後続）           24              -53.157
（表１６）
有限距離の被写体に合焦させた状態における各種データ
物像間距離     5000.0    5000.0    5000.0
倍率           -0.025    -0.040    -0.059
d5              8.870    51.240    68.920
d15            18.930     7.360     6.820
d23            29.564    15.585     5.254
fB             35.945    57.339    87.965
物像間距離     3000.0    3000.0    3000.0
倍率           -0.042    -0.067    -0.099
d5              8.870    51.240    68.920
d15            18.930     7.360     6.820
d23            30.745    17.241     7.197
fB             34.764    55.683    86.022
【０１２２】
［数値実施例５］
図２１〜図２５と表１７〜表２０は、本発明によるズームレンズ系の数値実施例５を示している。図２１は短焦点距離端における無限遠合焦時のレンズ構成図、図２２（Ａ）〜（Ｄ）と図２３（Ａ）〜（Ｄ）は短焦点距離端における無限遠合焦時の諸収差図と横収差図、図２４（Ａ）〜（Ｄ）と図２５（Ａ）〜（Ｄ）は長焦点距離端における無限遠合焦時の諸収差図と横収差図である。表１７は面データ、表１８は無限遠の被写体に合焦させた状態（撮影倍率＝０）における各種データ、表１９はレンズ群データ、表２０は有限距離の被写体に合焦させた状態における各種データである。
【０１２３】
この数値実施例５のレンズ構成は、以下の点を除き、数値実施例１のレンズ構成と同様である。
（１）第１レンズ群Ｇ１Ａが、物体側から順に、両凸正レンズ１１Ａ’と、物体側に凸の正メニスカスレンズ１２Ａ’と、物体側に凸の負メニスカスレンズ１３Ａ’と、物体側に凸の正メニスカスレンズ１４Ａ’とからなる。負メニスカスレンズ１３Ａ’と正メニスカスレンズ１４Ａ’は接合されている。
（２）第２レンズ群Ｇ２Ａが、物体側から順に、両凹負レンズ２１Ａ”と、物体側に凸の正メニスカスレンズ２２Ａ”と、両凹負レンズ２３Ａ”と、像側に凸の負メニスカスレンズ２４Ａ”とからなる。両凹負レンズ２１Ａ”と正メニスカスレンズ２２Ａ”は接合されている。
（３）第３レンズ群Ｇ３Ａが、物体側から順に、両凸正レンズ３１Ａ”と、物体側に凸の正メニスカスレンズ３２Ａ”と、両凹負レンズ３３Ａ”と、両凸正レンズ３４Ａ”と、絞りＳと、物体側に凸の負メニスカスレンズ３５Ａ”と、両凸正レンズ３６Ａ”と、物体側に凸の正メニスカスレンズ３７Ａ”とからなる。両凹負レンズ３３Ａ”と両凸正レンズ３４Ａ”は接合されている。
【０１２４】
（表１７）
面データ
面番号          R          d          N(d)        ν(d)
1           132.862      7.230      1.48749       70.24
2          -708.635      0.150
3            69.897      7.447      1.49700       81.55
4           136.784      0.150
5            92.773      1.695      1.79952       42.22
6            46.408     11.599      1.49700       81.55
7            87.512        d7
8          -520.244      1.200      1.77250       49.60
9            30.265      5.734      1.80518       25.43
10          412.171      1.469
11         -887.405      1.100      1.74400       44.79
12           81.437      2.514
13          -65.497      1.100      1.83400       37.16
14         -371.185       d14
15           86.267      4.495      1.48749       70.24
16         -124.694      0.200
17           42.457      3.989      1.61800       63.33
18          546.797      1.070
19         -142.524      2.500      1.85026       32.27
20           93.572      5.163      1.49700       81.55
21         -452.005      2.700
22絞          ∞        14.795
23          114.423      1.100      1.80610       33.27
24           38.699      2.064
25           91.308      4.540      1.53775       74.70
26          -71.519      0.200
27           37.686      4.752      1.72916       54.68
28          201.792       d28
29         -223.981      2.110      1.78472       25.68
30          -50.837      1.970
31          -46.569      1.000      1.69680       55.53
32           47.853        -
ｆｎ：-118.062
θｇＦｎ：0.5672
（表１８）
無限遠の被写体に合焦させた状態（撮影倍率＝０）における各種データ
ズーム比（変倍比）    5.15
短焦点距離端          中間焦点距離          長焦点距離端
FNO.           3.50                  3.68                  4.62
f            56.528               132.322               291.175
W              14.7                   6.1                   2.8
Y             14.24                 14.24                 14.24
fB           55.633                55.706                80.363
L           225.880               243.399               254.981
d7            2.392                53.073                73.932
d14          70.809                33.953                 3.000
d28           3.010                 6.631                 3.651
（表１９）
レンズ群データ
群                始面             焦点距離
1                    1              189.485
2（後続、ｎ）        8              -42.969
3（後続）           15               44.318
4（後続）           29              -58.910
（表２０）
有限距離の被写体に合焦させた状態における各種データ
物像間距離     5000.0    5000.0    5000.0
倍率           -0.012    -0.026    -0.057
d7              2.392    53.073    73.932
d14            70.809    33.953     3.000
d28             3.253     7.933     7.497
fB             55.390    54.404    76.517
物像間距離     3000.0    3000.0    3000.0
倍率           -0.020    -0.044    -0.095
d7              2.392    53.073    73.932
d14            70.809    33.953     3.000
d28             3.423     8.813    10.157
fB             55.220    53.524    73.857
【０１２５】
［数値実施例６］
図２６〜図３０と表２１〜表２４は、本発明によるズームレンズ系の数値実施例６を示している。図２６は短焦点距離端における無限遠合焦時のレンズ構成図、図２７（Ａ）〜（Ｄ）と図２８（Ａ）〜（Ｄ）は短焦点距離端における無限遠合焦時の諸収差図と横収差図、図２９（Ａ）〜（Ｄ）と図３０（Ａ）〜（Ｄ）は長焦点距離端における無限遠合焦時の諸収差図と横収差図である。表２１は面データ、表２２は無限遠の被写体に合焦させた状態（撮影倍率＝０）における各種データ、表２３はレンズ群データ、表２４は有限距離の被写体に合焦させた状態における各種データである。
【０１２６】
本数値実施例６のズームレンズ系は、物体側から順に、正の屈折力の第１レンズ群Ｇ１Ｂと、負の屈折力の第２レンズ群（後続レンズ群、第ｎレンズ群）Ｇ２Ｂと、負の屈折力の第３レンズ群（後続レンズ群）Ｇ３Ｂと、正の屈折力の第４レンズ群（後続レンズ群）Ｇ４Ｂと、負の屈折力の第５レンズ群（後続レンズ群）Ｇ５Ｂとから構成されている。第３レンズ群Ｇ３Ｂには第３レンズ群Ｇ３Ｂと一体に移動する絞りＳが含まれている。
【０１２７】
第１レンズ群Ｇ１Ｂは、物体側から順に、物体側に凸の正メニスカスレンズ１１Ｂと、物体側に凸の負メニスカスレンズ１２Ｂと、物体側に凸の正メニスカスレンズ１３Ｂとからなる。負メニスカスレンズ１２Ｂと正メニスカスレンズ１３Ｂは接合されている。
【０１２８】
第２レンズ群Ｇ２Ｂは、物体側から順に、両凹負レンズ２１Ｂと、両凸正レンズ２２Ｂと、像側に凸の負メニスカスレンズ２３Ｂとからなる。両凹負レンズ２１Ｂと両凸正レンズ２２Ｂは接合されている。
【０１２９】
第３レンズ群Ｇ３Ｂは、物体側から順に、両凸正レンズ３１Ｂと、物体側に凸の負メニスカスレンズ３２Ｂと、物体側に凸の正メニスカスレンズ３３Ｂと、絞りＳと、両凸正レンズ３４Ｂと、両凹負レンズ３５Ｂとからなる。両凸正レンズ３４Ｂと両凹負レンズ３５Ｂは接合されている。
【０１３０】
第４レンズ群Ｇ４Ｂは、物体側から順に、両凸正レンズ４１Ｂと、両凹負レンズ４２Ｂと、両凸正レンズ４３Ｂと、両凸正レンズ４４Ｂとからなる。
【０１３１】
第５レンズ群Ｇ５Ｂは、物体側から順に、両凹負レンズ５１Ｂと、両凸正レンズ５２Ｂと、両凹負レンズ５３Ｂとからなる。両凹負レンズ５１Ｂと両凸正レンズ５２Ｂは接合されている。
【０１３２】
（表２１）
面データ
面番号          R          d          N(d)        ν(d)
1            81.092      9.232      1.51633       64.14
2           554.790      0.150
3           122.914      2.000      1.80440       39.58
4            52.621     13.576      1.49700       81.55
5           931.131        d5
6          -637.805      2.000      1.76200       40.10
7            94.934      5.356      1.84666       23.78
8          -944.748      4.713
9          -129.931      2.000      1.71736       29.52
10         -933.933       d10
11           77.506      6.200      1.77250       49.60
12         -768.348      5.060
13          519.703      2.200      1.72047       34.71
14           48.529      1.482
15           41.922      5.000      1.48749       70.24
16           74.460      7.740
17絞          ∞        2.375
18          137.306      4.820      1.71736       29.52
19          -69.450      1.440      1.65844       50.88
20           46.122       d20
21         7259.316      3.380      1.65412       39.68
22         -120.548      3.890
23          -33.907      4.030      1.72342       37.96
24           99.779      2.250
25          183.180      5.880      1.59522       67.73
26          -44.994      0.450
27           95.346      8.154      1.48749       70.24
28          -51.532       d28
29          -81.811      1.200      1.80440       39.58
30           52.281      8.800      1.67270       32.10
31          -50.135      1.920
32          -62.128      1.200      1.65160       58.55
33          501.405        -
ｆｎ：-115.857
θｇＦｎ：0.5729
（表２２）
無限遠の被写体に合焦させた状態（撮影倍率＝０）における各種データ
ズーム比（変倍比）    2.00
短焦点距離端          中間焦点距離          長焦点距離端
FNO.           4.00                  4.78                  5.85
f           199.850               300.509               399.850
W               6.2                   4.1                   3.1
Y             21.64                 21.64                 21.64
fB           37.600                64.084                95.259
L           230.000               268.818               297.352
d5            7.167                29.997                36.596
d10           2.848                 2.787                 3.860
d20          18.370                36.866                43.957
d28          47.517                18.586                 1.181
（表２３）
レンズ群データ
群                始面             焦点距離
1                    1              173.972
2（後続、ｎ）        6             -240.999
3（後続）           11             -371.001
4（後続）           21               81.393
5（後続）           29              -94.481
（表２４）
有限距離の被写体に合焦させた状態における各種データ
物像間距離     9000.0    9000.0    9000.0
倍率           -0.023    -0.033    -0.044
d5              7.167    29.997    36.596
d10             2.848     2.787     3.860
d20            16.235    33.099    38.816
d28            49.652    22.353     6.322
fB             37.600    64.084    95.259
物像間距離     5000.0    5000.0    5000.0
倍率           -0.042    -0.060    -0.079
d5              7.167    29.997    36.596
d10             2.848     2.787     3.860
d20            14.467    30.160    35.008
d28            51.420    25.291    10.130
fB             37.600    64.084    95.259
【０１３３】
［数値実施例７］
図３１〜図３５と表２５〜表２８は、本発明によるズームレンズ系の数値実施例７を示している。図３１は短焦点距離端における無限遠合焦時のレンズ構成図、図３２（Ａ）〜（Ｄ）と図３３（Ａ）〜（Ｄ）は短焦点距離端における無限遠合焦時の諸収差図と横収差図、図３４（Ａ）〜（Ｄ）と図３５（Ａ）〜（Ｄ）は長焦点距離端における無限遠合焦時の諸収差図と横収差図である。表２５は面データ、表２６は無限遠の被写体に合焦させた状態（撮影倍率＝０）における各種データ、表２７はレンズ群データ、表２８は有限距離の被写体に合焦させた状態における各種データである。
【０１３４】
本数値実施例７のズームレンズ系は、物体側から順に、正の屈折力の第１レンズ群Ｇ１Ｃと、正の屈折力の第２レンズ群（後続レンズ群）Ｇ２Ｃと、負の屈折力の第３レンズ群（後続レンズ群、第ｎレンズ群）Ｇ３Ｃと、正の屈折力の第４レンズ群（後続レンズ群）Ｇ４Ｃと、負の屈折力の第５レンズ群（後続レンズ群）Ｇ５Ｃとから構成されている。第４レンズ群Ｇ４Ｃには第４レンズ群Ｇ４Ｃと一体に移動する絞りＳが含まれている。
【０１３５】
第１レンズ群Ｇ１Ｃは、物体側から順に、物体側に凸の正メニスカスレンズ１１Ｃと、物体側に凸の負メニスカスレンズ１２Ｃと、物体側に凸の正メニスカスレンズ１３Ｃとからなる。負メニスカスレンズ１２Ｃと正メニスカスレンズ１３Ｃは接合されている。
【０１３６】
第２レンズ群Ｇ２Ｃは、物体側から順に、物体側に凸の負メニスカスレンズ２１Ｃと、両凸正レンズ２２Ｃとからなる。負メニスカスレンズ２１Ｃと両凸正レンズ２２Ｃは接合されている。
【０１３７】
第３レンズ群Ｇ３Ｃは、物体側から順に、両凹負レンズ３１Ｃと、物体側に凸の正メニスカスレンズ３２Ｃと、両凹負レンズ３３Ｃとからなる。両凹負レンズ３１Ｃと正メニスカスレンズ３２Ｃは接合されている。
【０１３８】
第４レンズ群Ｇ４Ｃは、物体側から順に、両凸正レンズ４１Ｃと、両凸正レンズ４２Ｃと、両凹負レンズ４３Ｃと、絞りＳと、物体側に凸の負メニスカスレンズ４４Ｃと、両凸正レンズ４５Ｃと、物体側に凸の正メニスカスレンズ４６Ｃとからなる。両凸正レンズ４２Ｃと両凹負レンズ４３Ｃは接合されている。
【０１３９】
第５レンズ群Ｇ５Ｃは、物体側から順に、像側に凸の正メニスカスレンズ５１Ｃと、両凹負レンズ５２Ｃとからなる。
【０１４０】
（表２５）
面データ
面番号          R          d          N(d)        ν(d)
1            69.128      6.401      1.51633       64.14
2           525.186      0.150
3           100.847      1.700      1.79952       42.22
4            43.884      7.527      1.48749       70.24
5           321.688        d5
6           107.759      1.700      1.74400       44.79
7            51.867      4.850      1.48749       70.24
8          -615.486        d8
9          -175.204      1.200      1.77250       49.60
10           22.413      3.290      1.84666       23.78
11           64.808      2.000
12          -52.204      1.100      1.77250       49.60
13          552.401       d13
14           62.895      3.220      1.77250       49.60
15         -218.483      5.000
16           36.531      4.920      1.49700       81.55
17          -57.196      1.200      1.85026       32.27
18           82.066      2.700
19絞          ∞        14.387
20           84.372      1.100      1.83400       37.34
21           37.252      1.020
22          195.080      4.540      1.59522       67.73
23          -49.305      0.200
24           28.817      3.730      1.61800       63.33
25          294.452       d25
26         -132.364      2.110      1.78472       25.68
27          -43.004      1.970
28          -40.156      1.000      1.69680       55.53
29           39.612        -
ｆｎ：-98.480
θｇＦｎ：0.5672
（表２６）
無限遠の被写体に合焦させた状態（撮影倍率＝０）における各種データ
ズーム比（変倍比）    5.30
短焦点距離端          中間焦点距離          長焦点距離端
FNO.           4.00                  4.86                  5.85
f             54.95                139.85                291.09
W              15.1                   5.7                   2.8
Y             14.24                 14.24                 14.24
fB           52.820                67.339                89.121
L           190.757               215.212               239.996
d5            2.000                26.455                51.240
d8            2.452                15.849                15.519
d13          51.451                22.194                 3.000
d25           5.020                 6.361                 4.102
（表２７）
レンズ群データ
群                始面             焦点距離
1                    1              166.266
2（後続）            6              360.538
3（後続、ｎ）        9              -32.278
4（後続）           14               39.406
5（後続）           26              -45.597
（表２８）
有限距離の被写体に合焦させた状態における各種データ
物像間距離     5000.0    5000.0    5000.0
倍率           -0.011    -0.028    -0.058
d5              2.000    26.455    51.240
d8              2.452    15.849    15.519
d13            51.451    22.194     3.000
d25             5.192     7.147     6.361
fB             52.648    66.553    86.862
物像間距離     2000.0    2000.0    2000.0
倍率           -0.029    -0.071    -0.145
d5              2.000    26.455    51.240
d8              2.452    15.849    15.519
d13            51.451    22.194     3.000
d25             5.469     8.377     9.915
fB             52.371    65.323    83.308
【０１４１】
［数値実施例８］
図３６〜図４０と表２９〜表３２は、本発明によるズームレンズ系の数値実施例８を示している。図３６は短焦点距離端における無限遠合焦時のレンズ構成図、図３７（Ａ）〜（Ｄ）と図３８（Ａ）〜（Ｄ）は短焦点距離端における無限遠合焦時の諸収差図と横収差図、図３９（Ａ）〜（Ｄ）と図４０（Ａ）〜（Ｄ）は長焦点距離端における無限遠合焦時の諸収差図と横収差図である。表２９は面データ、表３０は無限遠の被写体に合焦させた状態（撮影倍率＝０）における各種データ、表３１はレンズ群データ、表３２は有限距離の被写体に合焦させた状態における各種データである。
【０１４２】
本数値実施例８のズームレンズ系は、物体側から順に、正の屈折力の第１レンズ群Ｇ１Ｄと、負の屈折力の第２レンズ群（後続レンズ群、第ｎレンズ群）Ｇ２Ｄと、正の屈折力の第３レンズ群（後続レンズ群）Ｇ３Ｄと、負の屈折力の第４レンズ群（後続レンズ群）Ｇ４Ｄと、正の屈折力の第５レンズ群（後続レンズ群）Ｇ５Ｄとから構成されている。第３レンズ群Ｇ３Ｄには第３レンズ群Ｇ３Ｄと一体に移動する絞りＳが含まれている。
【０１４３】
第１レンズ群Ｇ１Ｄは、物体側から順に、物体側に凸の正メニスカスレンズ１１Ｄと、物体側に凸の負メニスカスレンズ１２Ｄと、物体側に凸の正メニスカスレンズ１３Ｄとからなる。負メニスカスレンズ１２Ｄと正メニスカスレンズ１３Ｄは接合されている。
【０１４４】
第２レンズ群Ｇ２Ｄは、物体側から順に、両凹負レンズ２１Ｄと、物体側に凸の正メニスカスレンズ２２Ｄと、像側に凸の負メニスカスレンズ２３Ｄとからなる。両凹負レンズ２１Ｄと正メニスカスレンズ２２Ｄは接合されている。
【０１４５】
第３レンズ群Ｇ３Ｄは、物体側から順に、両凸正レンズ３１Ｄと、両凸正レンズ３２Ｄと、両凹負レンズ３３Ｄと、絞りＳと、物体側に凸の負メニスカスレンズ３４Ｄと、両凸正レンズ３５Ｄと、物体側に凸の正メニスカスレンズ３６Ｄとからなる。両凸正レンズ３２Ｄと両凹負レンズ３３Ｄは接合されている。
【０１４６】
第４レンズ群Ｇ４Ｄは、物体側から順に、像側に凸の正メニスカスレンズ４１Ｄと、両凹負レンズ４２Ｄとからなる。
【０１４７】
第５レンズ群Ｇ５Ｄは、両凸正単レンズ５１Ｄからなる。
【０１４８】
（表２９）
面データ
面番号          R          d          N(d)        ν(d)
1            61.765      5.940      1.51633       64.14
2           588.992      0.150
3            97.196      1.700      1.79952       42.22
4            39.169      8.210      1.48749       70.24
5           451.941        d5
6          -172.825      0.900      1.72916       54.68
7            22.024      2.960      1.84666       23.78
8            44.314      2.630
9           -38.158      0.800      1.69680       55.53
10         -136.863       d10
11           85.555      3.220      1.72916       54.68
12         -188.580      1.640
13           34.217      4.920      1.59522       67.73
14          -56.730      1.100      1.80610       33.27
15          136.465      2.851
16絞           ∞       13.105
17          220.885      1.000      1.83400       37.34
18           30.589      1.664
19           60.865      4.392      1.49700       81.55
20          -53.647      0.510
21           30.636      2.920      1.69680       55.53
22          377.447       d22
23         -121.045      2.109      1.76182       26.52
24          -42.590      2.000
25          -41.378      0.700      1.69680       55.53
26           41.151       d26
27          236.669      2.055      1.54072       47.23
28         -380.932        -
ｆｎ：-83.143
θｇＦｎ：0.5672
（表３０）
無限遠の被写体に合焦させた状態（撮影倍率＝０）における各種データ
ズーム比（変倍比）    5.20
短焦点距離端          中間焦点距離          長焦点距離端
FNO.           4.60                  5.19                  6.43
f            55.959               135.025               291.146
W              14.8                   6.0                   2.8
Y             14.24                 14.24                 14.24
fB           37.602                47.087                73.429
L           165.236               195.005               234.550
d5            3.201                45.662                69.666
d10          35.478                13.300                 2.500
d22           6.994                11.211                 2.171
d26          14.486                10.269                19.309
（表３１）
レンズ群データ
群                始面             焦点距離
1                    1              144.940
2（後続、ｎ）        6              -31.551
3（後続）           11               37.495
4（後続）           23              -46.425
5（後続）           27              270.281
（表３２）
有限距離の被写体に合焦させた状態における各種データ
物像間距離     5000.0    5000.0    5000.0
倍率           -0.011    -0.027    -0.059
d5              3.201    45.662    69.666
d10            35.478    13.300     2.500
d22             7.203    12.286     4.899
d26            14.277     9.194    16.581
fB             37.602    47.087    73.429
物像間距離     3000.0    3000.0    3000.0
倍率           -0.019    -0.046    -0.098
d5              3.201    45.662    69.666
d10            35.478    13.300     2.500
d22             7.349    13.027     6.791
d26            14.131     8.453    14.689
fB             37.602    47.087    73.429
【０１４９】
［数値実施例９］
図４１〜図４５と表３３〜表３６は、本発明によるズームレンズ系の数値実施例９を示している。図４１は短焦点距離端における無限遠合焦時のレンズ構成図、図４２（Ａ）〜（Ｄ）と図４３（Ａ）〜（Ｄ）は短焦点距離端における無限遠合焦時の諸収差図と横収差図、図４４（Ａ）〜（Ｄ）と図４５（Ａ）〜（Ｄ）は長焦点距離端における無限遠合焦時の諸収差図と横収差図である。表３３は面データ、表３４は無限遠の被写体に合焦させた状態（撮影倍率＝０）における各種データ、表３５はレンズ群データ、表３６は有限距離の被写体に合焦させた状態における各種データである。
【０１５０】
本数値実施例９のズームレンズ系は、物体側から順に、正の屈折力の第１レンズ群Ｇ１Ｅと、負の屈折力の第２レンズ群（後続レンズ群、第ｎレンズ群）Ｇ２Ｅと、正の屈折力の第３レンズ群（後続レンズ群）Ｇ３Ｅと、正の屈折力の第４レンズ群（後続レンズ群）Ｇ４Ｅと、負の屈折力の第５レンズ群（後続レンズ群）Ｇ５Ｅと、正の屈折力の第６レンズ群（後続レンズ群）Ｇ６Ｅとから構成されている。第３レンズ群Ｇ３Ｅには第３レンズ群Ｇ３Ｅと一体に移動する絞りＳが含まれている。
【０１５１】
第１レンズ群Ｇ１Ｅは、物体側から順に、物体側に凸の正メニスカスレンズ１１Ｅと、物体側に凸の負メニスカスレンズ１２Ｅと、物体側に凸の正メニスカスレンズ１３Ｅとからなる。負メニスカスレンズ１２Ｅと正メニスカスレンズ１３Ｅは接合されている。
【０１５２】
第２レンズ群Ｇ２Ｅは、物体側から順に、両凹負レンズ２１Ｅと、物体側に凸の正メニスカスレンズ２２Ｅと、像側に凸の負メニスカスレンズ２３Ｅとからなる。両凹負レンズ２１Ｅと正メニスカスレンズ２２Ｅは接合されている。
【０１５３】
第３レンズ群Ｇ３Ｅは、物体側から順に、両凸正レンズ３１Ｅと、両凸正レンズ３２Ｅと、両凹負レンズ３３Ｅとからなる。両凸正レンズ３２Ｅと両凹負レンズ３３Ｅは接合されている。
【０１５４】
第４レンズ群Ｇ４Ｅは、物体側から順に、物体側に凸の負メニスカスレンズ４１Ｅと、両凸正レンズ４２Ｅと、物体側に凸の正メニスカスレンズ４３Ｅとからなる。
【０１５５】
第５レンズ群Ｇ５Ｅは、物体側から順に、像側に凸の正メニスカスレンズ５１Ｅと、両凹負レンズ５２Ｅとからなる。
【０１５６】
第６レンズ群Ｇ６Ｅは、物体側に凸の正メニスカス単レンズ６１Ｅからなる。
【０１５７】
（表３３）
面データ
面番号          R          d          N(d)        ν(d)
1            74.014      5.940      1.48749       70.24
2           915.456      0.150
3           121.231      1.700      1.78590       44.20
4            47.604      8.210      1.48749       70.24
5           748.965        d5
6          -190.634      0.900      1.74100       52.64
7            23.710      2.960      1.84666       23.78
8            47.887      2.630
9           -37.671      0.800      1.61800       63.33
10         -145.430       d10
11           93.946      3.220      1.72916       54.68
12         -101.424      1.640
13           33.772      4.920      1.59522       67.73
14          -51.804      1.100      1.80610       33.27
15          119.681      2.851
16絞          ∞          d16
17           63.455      1.000      1.83400       37.34
18           24.801      3.719
19           30.359      4.392      1.49700       81.55
20          -87.115      0.510
21           42.618      2.920      1.69680       55.53
22          226.723       d22
23         -126.233      2.109      1.76182       26.52
24          -40.199      2.000
25          -36.365      0.700      1.69680       55.53
26           37.591       d26
27           51.840      2.055      1.51742       52.43
28           87.690        -
ｆｎ：-100.761
θｇＦｎ：0.5631
（表３４）
無限遠の被写体に合焦させた状態（撮影倍率＝０）における各種データ
ズーム比（変倍比）    5.21
短焦点距離端          中間焦点距離          長焦点距離端
FNO.           4.60                  5.60                  6.48
f            56.000               123.120               291.999
W              14.8                   6.6                   2.8
Y             14.24                 14.24                 14.24
fB           37.600                56.366                70.026
L           165.367               209.909               248.397
d5            3.000                47.542                86.031
d10          36.367                19.174                 2.500
d16          14.122                12.549                15.563
d22           2.544                 3.685                 1.913
d26          15.309                14.168                15.940
（表３５）
レンズ群データ
群                始面             焦点距離
1                    1              173.992
2（後続、ｎ）        6              -33.596
3（後続）           11               44.294
4（後続）           17               56.311
5（後続）           23              -41.708
6（後続）           27              240.371
（表３６）
有限距離の被写体に合焦させた状態における各種データ
物像間距離     5000.0    5000.0    5000.0
倍率           -0.011    -0.025    -0.058
d5              3.000    47.542    86.031
d10            36.367    19.174     2.500
d16            14.122    12.549    15.563
d22             2.725     4.286     4.509
d26            15.128    13.567    13.344
fB             37.600    56.366    70.026
物像間距離     3000.0    3000.0    3000.0
倍率           -0.019    -0.042    -0.097
d5              3.000    47.542    86.031
d10            36.367    19.174     2.500
d16            14.122    12.549    15.563
d22             2.850     4.701     6.283
d26            15.003    13.152    11.570
fB             37.600    56.366    70.026
【０１５８】
［数値実施例１０］
図４６〜図５０と表３７〜表４０は、本発明によるズームレンズ系の数値実施例１０を示している。図４６は短焦点距離端における無限遠合焦時のレンズ構成図、図４７（Ａ）〜（Ｄ）と図４８（Ａ）〜（Ｄ）は短焦点距離端における無限遠合焦時の諸収差図と横収差図、図４９（Ａ）〜（Ｄ）と図５０（Ａ）〜（Ｄ）は長焦点距離端における無限遠合焦時の諸収差図と横収差図である。表３７は面データ、表３８は無限遠の被写体に合焦させた状態（撮影倍率＝０）における各種データ、表３９はレンズ群データ、表４０は有限距離の被写体に合焦させた状態における各種データである。
【０１５９】
本数値実施例１０のズームレンズ系は、物体側から順に、正の屈折力の第１レンズ群Ｇ１Ｆと、負の屈折力の第２レンズ群（後続レンズ群、第ｎレンズ群）Ｇ２Ｆと、正の屈折力の第３レンズ群（後続レンズ群）Ｇ３Ｆとから構成されている。第３レンズ群Ｇ３Ｆには第３レンズ群Ｇ３Ｆと一体に移動する絞りＳが含まれている。
【０１６０】
第１レンズ群Ｇ１Ｆは、物体側から順に、物体側に凸の正メニスカスレンズ１１Ｆと、物体側に凸の負メニスカスレンズ１２Ｆと、物体側に凸の正メニスカスレンズ１３Ｆとからなる。負メニスカスレンズ１２Ｆと正メニスカスレンズ１３Ｆは接合されている。
【０１６１】
第２レンズ群Ｇ２Ｆは、物体側から順に、両凹負レンズ２１Ｆと、物体側に凸の正メニスカスレンズ２２Ｆと、両凹負レンズ２３Ｆとからなる。両凹負レンズ２１Ｆと正メニスカスレンズ２２Ｆは接合されている。
【０１６２】
第３レンズ群Ｇ３Ｆは、物体側から順に、両凸正レンズ３１Ｆと、両凸正レンズ３２Ｆと、両凹負レンズ３３Ｆと、絞りＳと、両凸正レンズ３４Ｆと、両凹負レンズ３５Ｆと、両凸正レンズ３６Ｆと、像側に凸の負メニスカスレンズ３７Ｆと、両凸正レンズ３８Ｆとからなる。両凸正レンズ３２Ｆと両凹負レンズ３３Ｆは接合されており、両凸正レンズ３４Ｆと両凹負レンズ３５Ｆは接合されている。
【０１６３】
（表３７）
面データ
面番号          R          d          N(d)        ν(d)
1            73.372      4.737      1.64000       60.08
2           308.552      0.150
3            98.116      1.700      1.83400       37.16
4            45.864      6.874      1.48749       70.24
5           320.457        d5
6          -543.000      1.200      1.69680       55.53
7            20.527      4.200      1.84666       23.78
8            50.126      2.806
9           -56.691      1.500      1.83481       42.72
10          113.676       d10
11           66.417      3.581      1.77250       49.60
12          -89.590      2.000
13           26.536      5.796      1.49700       81.55
14          -33.059      1.200      1.85026       32.27
15           55.548      1.675
16絞          ∞         7.268
17          125.175      2.873      1.62299       58.17
18          -26.979      1.200      1.66680       33.05
19           61.108      5.654
20           97.439      3.450      1.80518       25.43
21          -37.663     16.060
22          -22.183      1.500      1.91082       35.25
23          -96.715      0.200
24           58.834      2.633      1.69680       55.53
25         -310.598        -
ｆｎ：-104.813
θｇＦｎ：0.5776
（表３８）
無限遠の被写体に合焦させた状態（撮影倍率＝０）における各種データ
ズーム比（変倍比）    4.70
短焦点距離端          中間焦点距離          長焦点距離端
FNO.           4.30                  5.25                  6.47
f            51.601               100.118               242.760
W              16.3                   8.2                   3.4
Y             14.24                 14.24                 14.24
fB           42.352                58.425                78.816
L           157.671               192.600               230.307
d5            4.800                36.184                69.535
d10          32.263                19.735                 3.700
（表３９）
レンズ群データ
群                始面             焦点距離
1                    1              158.229
2（後続、ｎ）        6              -30.075
3（後続）           11               38.335
（表４０）
有限距離の被写体に合焦させた状態における各種データ
物像間距離     5000.0    5000.0    5000.0
倍率           -0.010    -0.020    -0.043
d5              4.357    35.232    65.382
d10            32.706    20.687     7.853
fB             42.352    58.425    78.816
物像間距離     2000.0    2000.0    2000.0
倍率           -0.027    -0.049    -0.096
d5              3.677    33.872    61.529
d10            33.386    22.047    11.706
fB             42.352    58.425    78.816
【０１６４】
［数値実施例１１］
図５１〜図５５と表４１〜表４４は、本発明によるズームレンズ系の数値実施例１１を示している。図５１は短焦点距離端における無限遠合焦時のレンズ構成図、図５２（Ａ）〜（Ｄ）と図５３（Ａ）〜（Ｄ）は短焦点距離端における無限遠合焦時の諸収差図と横収差図、図５４（Ａ）〜（Ｄ）と図５５（Ａ）〜（Ｄ）は長焦点距離端における無限遠合焦時の諸収差図と横収差図である。表４１は面データ、表４２は無限遠の被写体に合焦させた状態（撮影倍率＝０）における各種データ、表４３はレンズ群データ、表４４は有限距離の被写体に合焦させた状態における各種データである。
【０１６５】
この数値実施例１１のレンズ構成は、以下の点を除き、数値実施例１０のレンズ構成と同様である。
（１）第３レンズ群Ｇ３Ｆが、物体側から順に、絞りＳと、両凸正レンズ３１Ｆ’と、両凸正レンズ３２Ｆ’と、両凹負レンズ３３Ｆ’と、物体側に凸の正メニスカスレンズ３４Ｆ’と、物体側に凸の負メニスカスレンズ３５Ｆ’と、両凸正レンズ３６Ｆ’と、両凹負レンズ３７Ｆ’と、両凸正レンズ３８Ｆ’とからなる。両凸正レンズ３２Ｆ’と両凹負レンズ３３Ｆ’は接合されており、正メニスカスレンズ３４Ｆ’と負メニスカスレンズ３５Ｆ’は接合されている。
【０１６６】
（表４１）
面データ
面番号          R          d          N(d)        ν(d)
1            71.592      5.865      1.60300       65.44
2          7024.156      1.966
3           312.454      1.700      1.78800       47.37
4            41.001      7.378      1.60300       65.44
5           425.713        d5
6          -103.502      1.200      1.67790       55.34
7            24.583      4.200      1.84666       23.78
8            74.776      2.806
9           -90.360      1.500      1.83400       37.16
10          114.204       d10
11絞           ∞       1.700
12          274.288      4.056      1.73400       51.47
13         -103.948      0.100
14           25.754      6.106      1.49700       81.55
15          -52.422      1.200      1.85026       32.27
16          109.204     15.000
17           16.828      3.600      1.61800       63.33
18           25.738      1.200      1.58313       59.37
19           17.186      7.296
20           33.718      3.450      1.69680       55.53
21          -49.965      4.207
22          -18.238      1.500      1.88300       40.76
23          108.501      0.200
24           54.250      2.633      1.74000       28.30
25         -118.278        -
ｆｎ：-60.056
θｇＦｎ：0.5559
（表４２）
無限遠の被写体に合焦させた状態（撮影倍率＝０）における各種データ
ズーム比（変倍比）    3.79
短焦点距離端          中間焦点距離          長焦点距離端
FNO.           4.20                  5.22                  5.78
f            51.400                99.844               194.569
W              16.4                   8.2                   4.2
Y             14.24                 14.24                 14.24
fB           41.257                59.441                69.548
L           154.882               188.869               226.352
d5            4.123                35.391                74.884
d10          30.639                15.174                 3.057
（表４３）
レンズ群データ
群                始面             焦点距離
1                    1              192.429
2（後続、ｎ）        6              -35.398
3（後続）           12               38.171
（表４４）
有限距離の被写体に合焦させた状態における各種データ
物像間距離     5000.0    5000.0    5000.0
倍率           -0.010    -0.020    -0.036
d5              3.540    34.353    71.629
d10            31.221    16.212     6.312
fB             41.257    59.441    69.548
物像間距離     2000.0    2000.0    2000.0
倍率           -0.026    -0.049    -0.082
d5              2.653    32.853    67.988
d10            32.109    17.712     9.953
fB             41.257    59.441    69.548
【０１６７】
［数値実施例１２］
図５６〜図６０と表４５〜表４８は、本発明によるズームレンズ系の数値実施例１２を示している。図５６は短焦点距離端における無限遠合焦時のレンズ構成図、図５７（Ａ）〜（Ｄ）と図５８（Ａ）〜（Ｄ）は短焦点距離端における無限遠合焦時の諸収差図と横収差図、図５９（Ａ）〜（Ｄ）と図６０（Ａ）〜（Ｄ）は長焦点距離端における無限遠合焦時の諸収差図と横収差図である。表４５は面データ、表４６は無限遠の被写体に合焦させた状態（撮影倍率＝０）における各種データ、表４７はレンズ群データ、表４８は有限距離の被写体に合焦させた状態における各種データである。
【０１６８】
この数値実施例１２のレンズ構成は、以下の点を除き、数値実施例１０のレンズ構成と同様である。
（１）第３レンズ群Ｇ３Ｆが、物体側から順に、絞りＳと、両凸正レンズ３１Ｆ”と、両凸正レンズ３２Ｆ”と、両凹負レンズ３３Ｆ”と、両凸正レンズ３４Ｆ”と、像側に凸の負メニスカスレンズ３５Ｆ”と、両凹負レンズ３６Ｆ”と、両凸正レンズ３７Ｆ”とからなる。両凸正レンズ３２Ｆ”と両凹負レンズ３３Ｆ”は接合されており、両凸正レンズ３４Ｆ”と負メニスカスレンズ３５Ｆ”は接合されている。
【０１６９】
（表４５）
面データ
面番号          R          d          N(d)        ν(d)
1            85.329      4.529      1.77250       49.60
2           983.202      0.150
3           107.046      1.700      1.72047       34.71
4            41.690      6.874      1.49700       81.55
5           156.582        d5
6          -541.000      1.200      1.78800       47.37
7            24.160      4.200      1.84666       23.78
8            75.055      2.806
9           -55.520      1.500      1.81600       46.62
10          551.971       d10
11絞           ∞       1.700
12          109.153      4.056      1.61800       63.33
13          -64.888      0.100
14           23.204      6.106      1.49700       81.55
15          -44.037      1.200      1.85026       32.27
16           58.912     16.952
17           75.831      3.450      1.83400       37.16
18          -27.995      1.200      1.61772       49.81
19          -71.414      9.369
20          -21.513      1.500      1.88300       40.76
21           59.394      0.200
22           51.421      2.633      1.60562       43.70
23          -50.348        -
ｆｎ：-95.821
θｇＦｎ：0.5834
（表４６）
無限遠の被写体に合焦させた状態（撮影倍率＝０）における各種データ
ズーム比（変倍比）    4.03
短焦点距離端          中間焦点距離          長焦点距離端
FNO.           4.10                  4.60                  6.35
f            55.319                99.962               222.785
W              14.9                   8.1                   3.6
Y             14.24                 14.24                 14.24
fB           40.231                48.460                77.781
L           156.000               177.008               199.353
d5            4.400                32.812                48.147
d10          39.945                24.312                 2.000
（表４７）
レンズ群データ
群                始面             焦点距離
1                    1              147.222
2（後続、ｎ）        6              -37.110
3（後続）           12               40.191
（表４８）
有限距離の被写体に合焦させた状態における各種データ
物像間距離     5000.0    5000.0    5000.0
倍率           -0.011    -0.019    -0.039
d5              3.488    30.426    42.368
d10            40.857    26.697     7.780
fB             40.231    48.460    77.781
物像間距離     2000.0    2000.0    2000.0
倍率           -0.028    -0.046    -0.088
d5              2.145    27.492    37.552
d10            42.200    29.631    12.596
fB             40.231    48.460    77.781
【０１７０】
［数値実施例１３］
図６１〜図６５と表４９〜表５２は、本発明によるズームレンズ系の数値実施例１３を示している。図６１は短焦点距離端における無限遠合焦時のレンズ構成図、図６２（Ａ）〜（Ｄ）と図６３（Ａ）〜（Ｄ）は短焦点距離端における無限遠合焦時の諸収差図と横収差図、図６４（Ａ）〜（Ｄ）と図６５（Ａ）〜（Ｄ）は長焦点距離端における無限遠合焦時の諸収差図と横収差図である。表４９は面データ、表５０は無限遠の被写体に合焦させた状態（撮影倍率＝０）における各種データ、表５１はレンズ群データ、表５２は有限距離の被写体に合焦させた状態における各種データである。
【０１７１】
本数値実施例１３のズームレンズ系は、物体側から順に、正の屈折力の第１レンズ群Ｇ１Ｇと、負の屈折力の第２レンズ群（後続レンズ群、第ｎレンズ群）Ｇ２Ｇと、負の屈折力の第３レンズ群（後続レンズ群）Ｇ３Ｇと、正の屈折力の第４レンズ群（後続レンズ群）Ｇ４Ｇとから構成されている。第４レンズ群Ｇ４Ｇには第４レンズ群Ｇ４Ｇと一体に移動する絞りＳが含まれている。
【０１７２】
第１レンズ群Ｇ１Ｇは、物体側から順に、物体側に凸の正メニスカスレンズ１１Ｇと、物体側に凸の負メニスカスレンズ１２Ｇと、物体側に凸の正メニスカスレンズ１３Ｇと、物体側に凸の正メニスカスレンズ１４Ｇとからなる。負メニスカスレンズ１２Ｇと正メニスカスレンズ１３Ｇは接合されている。
【０１７３】
第２レンズ群Ｇ２Ｇは、物体側から順に、両凹負レンズ２１Ｇと、両凸正レンズ２２Ｇと、両凹負レンズ２３Ｇとからなる。
【０１７４】
第３レンズ群Ｇ３Ｇは、物体側から順に、両凹負レンズ３１Ｇと、物体側に凸の正メニスカスレンズ３２Ｇとからなる。両凹負レンズ３１Ｇと正メニスカスレンズ３２Ｇは接合されている。
【０１７５】
第４レンズ群Ｇ４Ｇは、物体側から順に、ＮＤフィルタ４１Ｇと、絞りＳと、両凸正レンズ４２Ｇと、両凸正レンズ４３Ｇと、両凹負レンズ４４Ｇと、物体側に凸の負メニスカスレンズ４５Ｇと、物体側に凸の正メニスカスレンズ４６Ｇと、物体側に凸の正メニスカスレンズ４７Ｇと、平行平面板４８Ｇとからなる。両凸正レンズ４３Ｇと両凹負レンズ４４Ｇは接合されており、負メニスカスレンズ４５Ｇと正メニスカスレンズ４６Ｇは接合されている。
【０１７６】
（表４９）
面データ
面番号          R          d          N(d)        ν(d)
1           138.399     10.386      1.59522       67.73
2          1728.931      0.200
3           367.501      2.650      1.78800       47.37
4            89.949     13.160      1.49700       81.55
5           627.536      0.200
6           131.406      8.105      1.43875       94.94
7           327.171        d7
8          -214.076      2.000      1.83481       42.72
9            90.051      1.231
10          100.764      5.606      1.84666       23.78
11         -485.371      2.209
12         -248.972      2.000      1.58267       46.42
13          126.794       d13
14         -103.184      1.200      1.69680       55.46
15           23.318      3.290      1.85026       32.27
16           52.303       d16
17             ∞        1.000      1.51680       64.20
18             ∞        0.900
19絞          ∞         2.500
20           46.542      4.834      1.59522       67.73
21          -58.878      1.964
22           45.580      5.202      1.43875       94.94
23          -35.837      1.800      1.80440       39.58
24          268.315     40.000
25           26.755      1.800      1.88300       40.76
26           15.507      4.982      1.48749       70.24
27           20.474      0.150
28           47.144      2.939      1.84666       23.78
29          146.953      5.000
30             ∞        3.500      1.51680       64.20
31             ∞          -
ｆｎ：-151.780
θｇＦｎ：0.5559
（表５０）
無限遠の被写体に合焦させた状態（撮影倍率＝０）における各種データ
ズーム比（変倍比）    15.18
短焦点距離端          中間焦点距離          長焦点距離端
FNO.           4.00                  4.00                  4.75
f            25.034               100.000               380.000
W              13.1                   3.1                   0.8
Y              5.50                  5.50                  5.50
fB           16.500                16.500                16.500
L           328.705               328.705               328.705
d7            4.500               114.035               154.368
d13         117.197                16.314                26.113
d16          61.701                53.049                 2.916
（表５１）
レンズ群データ
群                始面             焦点距離
1                    1              243.658
2（後続、ｎ）        8              -99.211
3（後続）           14              -60.684
3（後続）           17               44.157
（表５２）
有限距離の被写体に合焦させた状態における各種データ
物像間距離     9000.0    9000.0    9000.0
倍率           -0.003    -0.012    -0.045
d7             11.551   121.086   161.419
d13           117.197    16.314    26.113
d16            61.701    53.049     2.916
fB             16.500    16.500    16.500
物像間距離     5000.0    5000.0    5000.0
倍率           -0.006    -0.023    -0.086
d7             17.950   127.485   167.818
d13           117.197    16.314    26.113
d16            61.701    53.049     2.916
fB             16.500    16.500    16.500
【０１７７】
［数値実施例１４］
図６６〜図７０と表５３〜表５６は、本発明によるズームレンズ系の数値実施例１４を示している。図６６は短焦点距離端における無限遠合焦時のレンズ構成図、図６７（Ａ）〜（Ｄ）と図６８（Ａ）〜（Ｄ）は短焦点距離端における無限遠合焦時の諸収差図と横収差図、図６９（Ａ）〜（Ｄ）と図７０（Ａ）〜（Ｄ）は長焦点距離端における無限遠合焦時の諸収差図と横収差図である。表５３は面データ、表５４は無限遠の被写体に合焦させた状態（撮影倍率＝０）における各種データ、表５５はレンズ群データ、表５６は有限距離の被写体に合焦させた状態における各種データである。
【０１７８】
この数値実施例１４のレンズ構成は、以下の点を除き、数値実施例１３のレンズ構成と同様である。
（１）第２レンズ群Ｇ２Ｇの正レンズ２２Ｇが物体側に凸の正メニスカスレンズであり、両凹負レンズ２１Ｇと正メニスカスレンズ２２Ｇが接合されている。
（２）第４レンズ群Ｇ４が、物体側から順に、ＮＤフィルタ４１Ｇ’と、絞りＳと、両凸正レンズ４２Ｇ’と、両凸正レンズ４３Ｇ’と、両凹負レンズ４４Ｇ’と、物体側に凸の負メニスカスレンズ４５Ｇ’と、物体側に凸の正メニスカスレンズ４６Ｇ’と、平行平面板４７Ｇ’とからなる。両凸正レンズ４３Ｇ’と両凹負レンズ４４Ｇ’は接合されている。
【０１７９】
（表５３）
面データ
面番号          R          d          N(d)        ν(d)
1           108.673     10.386      1.59522       67.73
2          1875.591      0.200
3           201.048      2.650      1.80400       46.58
4            65.532     13.160      1.49700       81.55
5           392.524      0.200
6           107.913      8.105      1.43875       94.94
7           188.818        d7
8         -2687.000      2.000      1.85026       32.27
9            67.674      5.086      1.84666       23.78
10          719.029      2.538
11        -1647.553      2.000      1.53775       74.70
12           77.127       d12
13          -96.690      1.200      1.77250       49.60
14           20.418      3.290      1.85026       32.27
15           62.943       d15
16             ∞        1.000      1.51680       64.20
17             ∞        0.900
18絞           ∞        2.500
19           43.459      3.846      1.59522       67.73
20          -81.665      1.964
21           70.139      5.202      1.43875       94.94
22          -37.963      1.800      1.80440       39.58
23          537.025     40.000
24           56.904      4.982      1.59522       67.73
25           19.244      0.802
26           25.611      2.939      1.69680       55.53
27          123.227      5.000
28             ∞        3.500      1.51680       64.20
29             ∞          -
ｆｎ：-121.986
θｇＦｎ：0.5573
（表５４）
無限遠の被写体に合焦させた状態（撮影倍率＝０）における各種データ
ズーム比（変倍比）    15.00
短焦点距離端          中間焦点距離          長焦点距離端
FNO.           4.50                  4.49                  5.73
f            30.005               200.000               450.000
W              10.5                   1.6                   0.7
Y              5.50                  5.50                  5.50
fB           26.814                26.814                26.814
L           329.593               329.593               329.593
d7            4.160                95.464                95.319
d12          79.558                32.075                79.129
d15          93.811                49.991                 3.082
（表５５）
レンズ群データ
群                始面             焦点距離
1                    1              196.166
2（後続、ｎ）        8             -112.321
3（後続）           13              -56.049
3（後続）           16               55.913
（表５６）
有限距離の被写体に合焦させた状態における各種データ
物像間距離     9000.0    9000.0    9000.0
倍率           -0.004    -0.024    -0.053
d7              8.705   100.009    99.864
d12            79.558    32.075    79.129
d15            93.811    49.991     3.082
fB             26.814    26.814    26.814
物像間距離     4000.0    4000.0    4000.0
倍率           -0.009    -0.058    -0.130
d7             15.282   106.586   106.441
d12            79.558    32.075    79.129
d15            93.811    49.991     3.082
fB             26.814    26.814    26.814
【０１８０】
各数値実施例の各条件式に対する値を表５７に示す。
（表５７）
実施例１       実施例２       実施例３       実施例４
条件式（１）    -2.009         -2.398         -1.711         -1.510
条件式（２）     67.19          72.85          65.46          75.90
条件式（３）    -4.914         -4.443         -4.743         -1.102
条件式（４）   1.78590        1.77250        1.65412        1.79952
条件式（５）     2.514          3.050          2.694          2.586
条件式（６）     2.077          2.240          1.746          3.596
条件式（７）    -1.649         -1.446         -1.738         -3.528
条件式（８）     46.58          47.82          37.16          31.31
条件式（９）   -0.0066        -0.0086        -0.0036        -0.0058
条件式（１０）   44.20          49.60          39.68          42.22
条件式（１１）   3.972          5.092          3.609          4.447
条件式（１２）  10.366         11.097         12.477         10.985
条件式（１３）   2.946          3.311          3.444          1.467
条件式（１４）   1.298          1.458          1.519          0.957
実施例５       実施例６       実施例７       実施例８
条件式（１）    -1.605         -1.502         -1.688         -1.743
条件式（２）     77.78          72.85          67.19          67.19
条件式（３）    -4.410         -0.722         -5.151         -4.594
条件式（４）   1.79952        1.80440        1.79952        1.79952
条件式（５）     1.426          2.145          2.405          2.347
条件式（６）     3.002          2.497          2.541          2.350
条件式（７）    -1.420         -2.539         -1.440         -1.433
条件式（８）     37.16          29.52          49.60          55.53
条件式（９）   -0.0058        -0.0045        -0.0058        -0.0058
条件式（１０）   42.22          39.58          42.22          42.22
条件式（１１）   4.083          3.306          3.789          3.700
条件式（１２）   6.702          6.971         10.538          9.059
条件式（１３）   3.352          0.871          3.025          2.590
条件式（１４）   1.477          0.615          1.315          1.136
実施例９     実施例１０     実施例１１     実施例１２
条件式（１）    -1.727         -1.510         -3.204         -1.536
条件式（２）     70.24          65.16          65.44          65.58
条件式（３）    -5.179         -5.261         -5.436         -3.967
条件式（４）   1.78590        1.83400        1.78800        1.72047
条件式（５）     2.351          2.157          2.688          1.725
条件式（６）     2.293          2.755          1.302          2.276
条件式（７）    -1.417         -1.465         -1.440         -1.536
条件式（８）     63.33          42.72          37.16          46.62
条件式（９）   -0.0066        -0.0039        -0.0084        -0.0022
条件式（１０）   44.20          37.16          47.37          34.71
条件式（１１）   3.655          3.450          4.693          3.531
条件式（１２）  10.875         11.755         11.380         11.109
条件式（１３）   3.107          3.066          3.744          2.661
条件式（１４）   1.361          1.414          1.924          1.326
実施例１３       実施例１４
条件式（１）    -1.605           -1.608
条件式（２）     81.41            81.41
条件式（３）    -2.456           -1.746
条件式（４）   1.78800          1.80400
条件式（５）     1.761            1.805
条件式（６）     1.648            1.967
条件式（７）    -1.102           -1.660
条件式（８）     46.42            74.70
条件式（９）   -0.0084          -0.0084
条件式（１０）   47.37            46.58
条件式（１１）   2.709            2.993
条件式（１２）   7.022            5.653
条件式（１３）   9.733            6.538
条件式（１４）   2.498            1.688
【０１８１】
表５７から明らかなように、数値実施例１〜数値実施例１４は、条件式（１）〜条件式（１４）を満足しており、諸収差図及び横収差図から明らかなように諸収差及び横収差は比較的よく補正されている。
【０１８２】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【０１８３】
Ｇ１Ａ  正の屈折力の第１レンズ群
Ｇ２Ａ  負の屈折力の第２レンズ群（後続レンズ群、第ｎレンズ群）
Ｇ３Ａ  正の屈折力の第３レンズ群（後続レンズ群）
Ｇ４Ａ  負の屈折力の第４レンズ群（後続レンズ群）
Ｇ１Ｂ  正の屈折力の第１レンズ群
Ｇ２Ｂ  負の屈折力の第２レンズ群（後続レンズ群、第ｎレンズ群）
Ｇ３Ｂ  負の屈折力の第３レンズ群（後続レンズ群）
Ｇ４Ｂ  正の屈折力の第４レンズ群（後続レンズ群）
Ｇ５Ｂ  負の屈折力の第５レンズ群（後続レンズ群）
Ｇ１Ｃ  正の屈折力の第１レンズ群
Ｇ２Ｃ  正の屈折力の第２レンズ群（後続レンズ群）
Ｇ３Ｃ  負の屈折力の第３レンズ群（後続レンズ群、第ｎレンズ群）
Ｇ４Ｃ  正の屈折力の第４レンズ群（後続レンズ群）
Ｇ５Ｃ  負の屈折力の第５レンズ群（後続レンズ群）
Ｇ１Ｄ  正の屈折力の第１レンズ群
Ｇ２Ｄ  負の屈折力の第２レンズ群（後続レンズ群、第ｎレンズ群）
Ｇ３Ｄ  正の屈折力の第３レンズ群（後続レンズ群）
Ｇ４Ｄ  負の屈折力の第４レンズ群（後続レンズ群）
Ｇ５Ｄ  正の屈折力の第５レンズ群（後続レンズ群）
Ｇ１Ｅ  正の屈折力の第１レンズ群
Ｇ２Ｅ  負の屈折力の第２レンズ群（後続レンズ群、第ｎレンズ群）
Ｇ３Ｅ  正の屈折力の第３レンズ群（後続レンズ群）
Ｇ４Ｅ  正の屈折力の第４レンズ群（後続レンズ群）
Ｇ５Ｅ  負の屈折力の第５レンズ群（後続レンズ群）
Ｇ６Ｅ  正の屈折力の第６レンズ群（後続レンズ群）
Ｇ１Ｆ  正の屈折力の第１レンズ群
Ｇ２Ｆ  負の屈折力の第２レンズ群（後続レンズ群、第ｎレンズ群）
Ｇ３Ｆ  正の屈折力の第３レンズ群（後続レンズ群）
Ｇ１Ｇ  正の屈折力の第１レンズ群
Ｇ２Ｇ  負の屈折力の第２レンズ群（後続レンズ群、第ｎレンズ群）
Ｇ３Ｇ  負の屈折力の第３レンズ群（後続レンズ群）
Ｇ４Ｇ  正の屈折力の第４レンズ群（後続レンズ群）
Ｓ  絞り
Ｉ  像面
【図１】
2017156741.tif 000003
【図２】
2017156741.tif 000004
【図３】
2017156741.tif 000005
【図４】
2017156741.tif 000006
【図５】
2017156741.tif 000007
【図６】
2017156741.tif 000008
【図７】
2017156741.tif 000009
【図８】
2017156741.tif 000010
【図９】
2017156741.tif 000011
【図１０】
2017156741.tif 000012
【図１１】
2017156741.tif 000013
【図１２】
2017156741.tif 000014
【図１３】
2017156741.tif 000015
【図１４】
2017156741.tif 000016
【図１５】
2017156741.tif 000017
【図１６】
2017156741.tif 000018
【図１７】
2017156741.tif 000019
【図１８】
2017156741.tif 000020
【図１９】
2017156741.tif 000021
【図２０】
2017156741.tif 000022
【図２１】
2017156741.tif 000023
【図２２】
2017156741.tif 000024
【図２３】
2017156741.tif 000025
【図２４】
2017156741.tif 000026
【図２５】
2017156741.tif 000027
【図２６】
2017156741.tif 000028
【図２７】
2017156741.tif 000029
【図２８】
2017156741.tif 000030
【図２９】
2017156741.tif 000031
【図３０】
2017156741.tif 000032
【図３１】
2017156741.tif 000033
【図３２】
2017156741.tif 000034
【図３３】
2017156741.tif 000035
【図３４】
2017156741.tif 000036
【図３５】
2017156741.tif 000037
【図３６】
2017156741.tif 000038
【図３７】
2017156741.tif 000039
【図３８】
2017156741.tif 000040
【図３９】
2017156741.tif 000041
【図４０】
2017156741.tif 000042
【図４１】
2017156741.tif 000043
【図４２】
2017156741.tif 000044
【図４３】
2017156741.tif 000045
【図４４】
2017156741.tif 000046
【図４５】
2017156741.tif 000047
【図４６】
2017156741.tif 000048
【図４７】
2017156741.tif 000049
【図４８】
2017156741.tif 000050
【図４９】
2017156741.tif 000051
【図５０】
2017156741.tif 000052
【図５１】
2017156741.tif 000053
【図５２】
2017156741.tif 000054
【図５３】
2017156741.tif 000055
【図５４】
2017156741.tif 000056
【図５５】
2017156741.tif 000057
【図５６】
2017156741.tif 000058
【図５７】
2017156741.tif 000059
【図５８】
2017156741.tif 000060
【図５９】
2017156741.tif 000061
【図６０】
2017156741.tif 000062
【図６１】
2017156741.tif 000063
【図６２】
2017156741.tif 000064
【図６３】
2017156741.tif 000065
【図６４】
2017156741.tif 000066
【図６５】
2017156741.tif 000067
【図６６】
2017156741.tif 000068
【図６７】
2017156741.tif 000069
【図６８】
2017156741.tif 000070
【図６９】
2017156741.tif 000071
【図７０】
2017156741.tif 000072
【図７１】
2017156741.tif 000073
【図７２】
2017156741.tif 000074
【図７３】
2017156741.tif 000075
【図７４】
2017156741.tif 000076
【図７５】
2017156741.tif 000077
【図７６】
2017156741.tif 000078
【図７７】
2017156741.tif 000079
【図７８】
2017156741.tif 000080
【図７９】
2017156741.tif 000081
【図８０】
2017156741.tif 000082
【図８１】
2017156741.tif 000083
【図８２】
2017156741.tif 000084
【図８３】
2017156741.tif 000085